(57)【要約】簡易な操作によって多量の塗布液を塗布できるようにする。  長い歯（１１）の配列の間に、短い歯（１２）を配設することにより、長い歯（１１）及び短い歯（１２）が順次交互に配列されてなる左及び右側櫛歯列（５Ｌ及び５Ｒ）を基板（４）の板面上に設けて、長い歯（１１）によって多量塗布機能を行い、また短い歯（１２）と長い歯（１１）とによって調整塗布域機能を行うようにしたことにより、塗布対象毛に対して塗布した多量の塗布液を、１本又は少数本の毛に対して少量ずつ調整しながら塗布できる液塗布具（１）を実現できる。
2012164734.tif 000002
【特許請求の範囲】
【請求項１】
基板の板面上の左及び右側縁部に当該側縁部に沿うように配設されることにより、間に塗布対象毛に塗布すべき塗布液を保持する左及び右側櫛歯列を有し、
上記左及び右側櫛歯列は、長い歯及び短い歯が、幅方向において互いに対向し、かつ上記側縁部の延長方向において順次交互に配列されており、
上記左及び右側櫛歯列の上記延長方向に隣り合う２本の上記長い歯は、広い間隔によって、上記塗布対象毛に対して多量の塗布液を塗布する多量塗布域機能を有し、
上記左及び右側櫛歯列の上記延長方向に隣り合う上記長い歯及び上記短い歯は、狭い隙間によって、上記塗布対象毛に対して少量の塗布液を塗布する調整塗布域機能を有する
ことを特徴とする液塗布具。
【請求項２】
上記基板の板面上における上記左及び右側櫛歯列間の中央位置に、当該左及び右側櫛歯列と対向しながら前後方向に延長するように中間骨部材が設けられ、
上記中間骨部材は、上記短い歯の頂点と上記長い歯の頂点との間の高さを有する
ことを特徴とする請求項１に記載の液塗布具。
【請求項３】
基板の板面上の左及び右側縁部に当該側縁部に沿うように配設されることにより、間に塗布対象毛に塗布すべき塗布液を保持する左及び右側櫛歯列を有し、
上記左及び右側櫛歯列は、長い歯及び短い歯が、幅方向において互いに対向し、かつ上記側縁部の延長方向において順次交互に配列されており、
上記左及び右側櫛歯列の上記延長方向に隣り合う２本の上記長い歯は、広い間隔によって、上記塗布対象毛に対して多量の塗布液を塗布する多量塗布域機能を有すると共に、
上記左及び右側櫛歯列の上記延長方向に隣り合う上記長い歯及び上記短い歯は、狭い隙間によって、上記塗布対象毛に対して少量の塗布液を塗布する調整塗布域機能を有し、
上記左及び右側櫛歯列の上記長い歯の外側面に、上記短い歯の高さに相当する位置において外方に突出する機能表示子が設けられ、
上記塗布対象毛に対して塗布動作しているとき上記機能表示子が目視できるか否かによって、上記多量塗布域機能を行っているか、又は上記調整塗布域機能を行っているかを確認できるようにした
ことを特徴とする液塗布具。
【請求項４】
上記左及び右側櫛歯列において、上記長い歯の間に配設されている短い歯の外側面に、上記長い歯の上記機能表示子と並ぶように、同じ形状の他の機能表示子が外方に突出するように設けられている
ことを特徴とする請求項３に記載の液塗布具。
【請求項５】
基板の板面上の左及び右側縁部に当該側縁部に沿うように配設されることにより、間に塗布対象毛に塗布すべき塗布液を保持する左及び右側櫛歯列を有する液塗布本体部をユーザが塗布操作したとき、
上記左及び右側櫛歯列は、長い歯及び短い歯が、幅方向において互いに対向し、かつ上記側縁部の延長方向において順次交互に配列されており、
上記左及び右側櫛歯列の上記延長方向に隣り合う２本の上記長い歯は、広い間隔によって、上記塗布対象毛に対して多量の塗布液を塗布する多量塗布域機能を有し、
上記左及び右側櫛歯列の上記延長方向に隣り合う上記長い歯及び上記短い歯は、狭い隙間によって、上記塗布対象毛に対して少量の塗布液を塗布する調整塗布域機能を有することにより、
上記多量域機能によって多数本の上記塗布対象毛に対して多量の塗布液を塗布した後、上記調整塗布域機能によって当該塗布された多量の塗布液を、１本又は少数本の上記塗布対象毛に対して少量の塗布液を調整塗布する状態に切り換える
ことを特徴とする塗布液塗布方法。
【発明の詳細な説明】
【技術分野】
【０００１】
本発明は液塗布具及び塗布液塗布方法に関し、特に櫛型の塗布ブラシに適用するものである。
【背景技術】
【０００２】
整髪料のヘアブラシ、まつ毛塗布用のマスカラブラシ、毛染用の毛染ブラシにおいて、塗布対象毛である頭髪又はまつ毛に対して、塗布液である整髪用液、マスカラ液、毛染用液を塗布する手段として、櫛型（コーム型）の液塗布具が提案されている（特許文献１、２及び３参照）。
【先行技術文献】
【特許文献】
【０００３】
【特許文献１】実用新案登録第３１０３４０４号公報
【特許文献２】特開２００６−２８０５２３公報
【特許文献３】特開２０１０−１５５０１４公報
【発明の概要】
【０００４】
この種の液塗布具をユーザが使用する場合、ユーザが塗布しようとする塗布対象毛に対して必要と考える液量の塗布液を、できるだけ簡易な操作で、塗布できるようにすることが、液塗布具の利便性を高める点から望ましい。
本発明は、かかる点を考慮してなされたもので、必要に応じて多量の塗布液を、１本又は少数本の毛に対して細かく調整しながら塗布できるようにした液塗布具を提案しようとするものである。
かかる課題を解決するため本発明においては、液塗布具は、基板の板面上の左及び右側縁部に当該側縁部に沿うように配設されることにより、間に塗布対象毛に塗布すべき塗布液を保持する左及び右側櫛歯列を有する。
左及び右側櫛歯列は、長い歯及び短い歯が、幅方向において互いに対向し、かつ基板の側縁部の延長方向において順次交互に配列されており、これにより互いに対向している長い歯間及び短い歯間に塗布液を保持している。
左及び右側櫛歯列の、側縁部の延長方向に隣り合う２本の長い歯は、広い間隔によって、塗布対象毛に対して多量の塗布液を塗布する多量塗布域機能を有すると共に、左及び右側櫛歯列の、側縁部の延長方向に隣り合う長い歯及び短い歯は、狭い隙間によって、塗布対象毛に対して少量の塗布液を塗布する調整塗布域機能を有する。
本発明によれば、長い歯の配列の間に、短い歯を配設することにより、長い歯及び短い歯が順次交互に配列されてなる左及び右側櫛歯列を基板の板面上に設けて、長い歯によって多量塗布機能を行い、また短い歯と長い歯とによって調整塗布域機能を行うようにしたことにより、塗布対象毛に対して塗布した多量の塗布液を、１本又は少数本の毛に対して少量ずつ調整しながら塗布できる液塗布具を実現できる。
これにより、液塗布具は、塗布対象毛に対して多量の塗布液を塗布する塗布機能と、少量の塗布液を塗布する塗布機能とを、選択的に行い得る。
【図面の簡単な説明】
【０００５】
図１は、本発明による液塗布具の第１の実施の形態における液塗布本体部を示す斜視図である。
図２の（Ａ）及び（Ｂ）は、図１の液塗布本体部の側面構造及び先端断面構造を示す側面図及び断面図である。
図３は、図１の櫛歯１３の詳細構成を示す斜視図である。
図４は、許容できる長さの比率の説明に供する、（Ａ）許容範囲、（Ｂ）マスカラブラシの場合、（Ｃ）染毛ブラシの場合、の略線図である。
図５の（Ａ）〜（Ｄ）は、第１の実施の形態の変形例を示す側面図である。
図６の（Ａ）〜（Ｅ）は、第１の実施の形態の他の変形例を示す側面図である。
図７は、第１の実施の形態をヘアブラシに適用した場合の実施例を示す斜視図である。
図８は、図７のヘアブラシに対する整髪用液の供給の仕方を示す斜視図である。
図９は、第１の実施の形態をマスカラブラシに適用した場合の実施例を示す斜視図である。
図１０の（Ａ）、（Ｂ）及び（Ｃ）は、図９の他の実施例を示す側面図、及び断面図である。
図１１の（Ａ）及び（Ｂ）は、図１０の場合の塗布動作の説明に供する略線図である。
図１２は、第１の実施の形態を毛染ブラシに適用した場合の実施例を示す斜視図である。
図１３の（Ａ）及び（Ｂ）は、図１２の他の実施例を示す側面図及び断面図である。
図１４は、図１２の他の実施例を示す斜視図である。
図１５は、図１２のさらに他の実施例を示す斜視図である。
図１６の（Ａ）及び（Ｂ）は、第２の実施の形態の液塗布本体部の第１の実施例を示す断面図及び斜視図である。
図１７の（Ａ）及び（Ｂ）は、第２の実施の形態の第２の実施例を示す断面図及び斜視図である。
図１８の（Ａ）及び（Ｂ）は、第２の実施の形態の第３の実施例を示す断面図及び斜視図である。
図１９の（Ａ）及び（Ｂ）は、第２の実施の形態の第４の実施例を示す断面図及び斜視図である。
図２０の（Ａ）〜（Ｅ）は、第３の実施の形態の第１の実施例を示す断面図である。
図２１の（Ａ）〜（Ｅ）は、第３の実施の形態の第２の実施例を示す断面図である。
図２２の（Ａ）及び（Ｂ）は、第２の実施の形態の塗布動作の説明に供する略線図である。
図２３は、第４の実施の形態を示す断面図である。
図２４の（Ａ）及び（Ｂ）は、第５の実施の形態を示す断面図である。
図２５は、第６の実施の形態を示す、（Ａ）第１の実施例、（Ｂ）第２の実施例、（Ｃ）第３の実施例、（Ｄ）第４の実施例、（Ｅ）第５の実施例、の断面図である。
図２６の（Ａ）〜（Ｅ）は、他の実施の形態を示す略線図である。
図２７の（Ａ）〜（Ｃ）は、さらに他の実施の形態を示す略線図である。
【発明を実施するための形態】
【０００６】
以下図面について、本発明の一実施の形態を詳述する。
（１）第１の実施の形態
（１−１）構成
図１は第１の実施の形態の液塗布具１を示すもので、液塗布本体部２と、当該液塗布本体部２を、ユーザが手で持って塗布操作をする把持部に結合する結合部３を有する。
液塗布本体部２は結合部３から前方に突出する長方形板状の基板４を有し、基板４の板面の左及び右側縁部に左側櫛歯列５Ｌ及び右側櫛歯列５Ｒが形成されている。
左側櫛歯列５Ｌ及び右側櫛歯列５Ｒは、基板４を根元側から先端側に前方に行くに従って、長い歯１１及び短い歯１２を順次交互に配列してなる櫛歯１３によって構成されている。
この実施の形態の場合、左側櫛歯列５Ｌ及び右側櫛歯列５Ｒの長い歯１１及び短い歯１２は、図２に示すように、前後方向に一列に配設されていると共に、図３に示すように、断面が横方向に偏平でかつ先端に丸みを持った形状を有する。
かくしてユーザが、結合部３を介して把持して液塗布本体部２の基板４を横方向に移動させるような操作をしたとき、櫛歯１３の長い歯１１及び短い歯１２が塗布対象毛を梳くような動作をする。
左及び右側櫛歯列５Ｌ及び５Ｒにおいて、長い歯１１の間隔は、図２（Ａ）に示すように、大きい値Ｄ１をもつのに対して、隣合う長い歯１１と短い歯１２との間隔Ｄ２は、小さい値Ｄ２＝Ｄ１／２となるように選定されている。
これにより液塗布本体部２が横方向に移動操作されたとき、長い歯１１の先端部だけによって塗布対象毛を梳く動作をした場合、長い歯１１の隣合う対向面間の隙間が広いので、比較的多い複数の塗布対象毛（これを多数本の塗布対象毛と呼ぶ）を束にまとめて通すような梳く動作をする。
これに対して、液塗布本体部２の基板４を傾けて長い歯１１及び短い歯１２によって梳く動作をしたときには、長い歯１１及び短い歯１２の隣合う対向面間の隙間が狭いので、比較的少ない、１本又は少数本の塗布対象毛だけを通すような梳く動作をする。
（１−２）動作・効果
以上の構成において、液塗布具１によって液対象毛に対して塗布液を塗布するとき、ユーザは図２（Ｂ）において斜線で示すように、左及び右側櫛歯列５Ｌ及び５Ｒと、基板４の板面とで囲まれる空所に塗布液１５を入れて液塗布本体部２を横方向に移動させることにより、塗布対象毛を櫛歯１３によって梳くような操作をする。
ここで、ユーザが長い歯１１の高さＨ１のうち、短い歯１２の高さＨ２より高い部分を使って塗布操作をしたとき、左及び右側櫛歯列５Ｌ及び５Ｒ間の塗布液１５のうち、その部分の塗布液が、長い歯１１の広い隙間の対向面間を多数本の塗布対象毛を束にまとめて通すように、塗布対象毛を梳く際に、多量に塗布対象毛に一挙に塗布される。
かくして、１回の簡易な塗布操作によって、まとまって長い歯１１間の隙間を通る毛に対して多量の塗布液を一挙に塗布できる。
この多量な塗布液を塗布対象毛に塗布する機能を、「多量塗布域ＡＲ１の機能」と呼ぶ。
これに対して、短い歯１２の高さＨ２までの部分を使って塗布対象毛に塗布操作をしたとき、長い歯１１の根元部分と隣合う短い歯１２との間の狭い隙間の対向面間を、１本又は少数本の塗布対象毛を通すように塗布対象毛を梳く際に、当該隙間の狭さに相当する少量の塗布液が塗布対象毛に塗布される。
実際上、この少量の塗布液の塗布操作は、上述の「多量塗布域の機能」により多量な塗布液を塗布対象毛に塗布した後に、続いて行えば、塗布対象毛の表面層部分に多量な塗布液を塗布した状態において、短い歯１２と長い歯１１の根元部分と短い歯１２との間の狭い隙間によって、１本又は少数本の塗布対象毛に対して、塗布液を少量ずつ、細かく塗布し直すような機能を行う（このような少量塗布機能を「調整塗布域」のＡＲ２の機能と呼ぶ）。
このようにして、多量塗布域ＡＲ１の多量の塗布液をまとめて塗布された多数本の塗布対象毛が、調整塗布域ＡＲ２の櫛歯１３によってその塗布状態を細かく調整でき、その結果、全体として塗布対象毛に対して多量の塗布液を細かい調整を加えながら塗布することができる。
（１−３）長い歯１１と短い歯１２との長さ比率
実験によれば、長い歯１１と短い歯１２との長さ比率の許容範囲は、図４（Ａ）に示すように、長い歯１１の上端から短い歯１２の上端までの距離Ｋ１１は１．０〔ｍｍ〕の差がある状態から、基板４の表面から短い歯１２の上端までの距離Ｋ１２が１．０〔ｍｍ〕になるまでの範囲において、上述の多量塗布域ＡＲ１及び調整塗布域ＡＲ２の機能が得られた。
実施例上、当該許容範囲は、マスカラブラシの場合には図４（Ｂ）に示すように、長い歯１１の高さＫ２１が５．０〔ｍｍ〕のとき、短い歯１２の高さＫ２２が４．０〔ｍｍ〕の場合から、短い歯１２の高さＫ２３が１．０〔ｍｍ〕の範囲において、上述の多量塗布域ＡＲ１及び調整塗布域ＡＲ２の機能を得ることができることを確認できた。
毛染ブラシの場合には、図４（Ｃ）に示すように、長い歯１１の高さＫ３１が２０．０〔ｍｍ〕のとき、短い歯１２の高さＫ３２が１９．０〔ｍｍ〕である場合から、短い歯１２の高さＫ３３が１．０〔ｍｍ〕の場合までの間において、上述の多量塗布域ＡＲ１及び調整塗布域ＡＲ２の機能が得られることを確認できた。
（２）第１の実施の形態の変形例
図５は第１の実施の形態の変形例を示すもので、図２の場合は、左及び右側櫛歯列５Ｌ及び５Ｒにおいて、先端方向に行くに従って長い歯１１及び短い歯１２を１本ずつ交互に配列されているが、図５に示すように、長い歯１１間の短い歯１２の本数を２本（図５（Ａ））、４本（図５（Ｂ））のように増加させても良い。
このようにすれば、長い歯１１間の短い歯１２の本数が多く長くなることにより、ユーザが液塗布本体部２を操作したとき、短い歯１２によって広い範囲で調整塗布域ＡＲ２の機能を実現できる。
またさらに、図５（Ｃ）に示すように、支持台４に設けられた左及び右側櫛歯列５Ｌ及び５Ｒの長い歯１１の本数を３本にしたり、図５（Ｄ）に示すように、根元側端及び先端の２本にしたりすれば、短い歯１２による調整塗布域ＡＲ２による調整操作をさらに拡げることができる。
かくして図５の変形例によれば、塗布対象毛に対する多量塗布域ＡＲ１及び調整塗布域ＡＲ２の操作を行うことにより、簡易な塗布操作によって、多量の塗布液を、簡易に、１本又は少数本の塗布対象毛にまで細かく塗布できるといった効果を得ることができる。
図６は上述の第１の実施の形態の他の変形例を示すもので、図６（Ａ）の場合は、左及び右側櫛歯列５Ｌ及び５Ｒにおいて、高さＨ１の長い歯１１間に設けた高さＨ２の短い歯１２との間に、高さＨ１及びＨ２の中間の高さＨ３を有する２本の中間歯１２Ａを設ける。
これにより、隣合う２本の長い歯１１の間に、前方に行くに従って、頂点の高さが「Ｖ」字形状に変化する中間歯１２Ａ及び短い歯１２を配列するように液塗布本体部２を構成する。
また図６（Ｂ）の場合は、左及び右側櫛歯列５Ｌ及び５Ｒについて、高さＨ１の長い歯１１間に設けた高さＨ２の短い歯１２との間に、高さＨ２より低い中間高さＨ４を有する２本の中間歯１２Ｂを設ける。
これにより、隣合う２本の長い歯１１の間に、前方に行くに従って、頂点の高さが「Ｗ」字形状に変化する中間歯１２Ｂ及び短い歯１２を配列するように液塗布本体部２を構成する。
図６（Ａ）及び（Ｂ）の構成によれば、最も短い歯１２及び中間歯１２Ｂの高さＨ２及びＨ４において、すべての歯によって塗布対象毛に対する塗布液の調整動作をする前に、中間歯１２Ｂ間の隙間（図６（Ａ））、並びに長い歯１１と短い歯１２との間の隙間（図６（Ｂ））の間隔に対応する多量の塗布液を塗布する。
かくして、長い歯１１の間の空所を通る位置によって異なる液量の塗布液を、当該位置を通る塗布対象毛に塗布することができる。
図６（Ｃ）の場合は、左及び右側櫛歯列５Ｌ及び５Ｒにおいて、基板４の先端部に高さＨ１の長い歯１１と高さＨ２の短い歯１２とが設けられている。
長い歯１１は、基板４の先端から根元側に行くに従って基板４の表面に近づく方向に傾斜する仮想直線Ｑ１に沿って高さが順次低くなって行く第２、第３……第Ｎの長い歯１１Ｘ１、１１Ｘ２……１１ＸＮが所定の間隔で設けられており、これにより高さＨ１の先端の長い歯１１から高さＨ１Ｘの根元側の高さ歯１１ＸＮが所定の間隔を保って配列されている。
これに対して短い歯１２は、先端から後端側に行くに従って低くなるように傾斜する仮想直線Ｑ２に沿うように高さが順次低くなって行く第２、第３……第Ｍの短い歯１２Ｙ１、１２Ｙ２……１２ＹＭが配設されている。
この実施の形態の場合短い歯１２Ｙ１、……１２ＹＭは、長い歯１１、１１Ｘ１、１１ＸＮ間に２本ずつ分配するように形成されている。
図６（Ｃ）の構成によれば、長い歯１１、１１Ｘ１……１１ＸＮの間に２本ずつ形成されている短い歯１２Ｘ１、１２Ｙ１……１２ＹＭ−１、１２ＹＭ上に塗布対象毛が通ったとき当該塗布対象毛に対して多量塗布域ＡＲ１の多量塗布動作をする。
この多量塗布域の動作は、長い歯１１及び短い歯１２の傾斜直線Ｋ１及びＫ２に沿って低くなって行くことにより、ユーザは基板４と塗布対象毛との間の間隔を調整する（基板４の長さ方向の歯の使用位置を好みに応じて加減することにより）、塗布対象毛に対する多量塗布域ＡＲ１の動作と調整塗布域ＡＲ２の動作とを加減することができる。
かくして図６（Ｃ）の構成によれば、ユーザの操作の仕方に任せた液塗布機能を実現できる。
図６（Ｄ）の場合は、長い歯１１及び短い歯１２が前後方向に「く」の字状に折れ曲がった形状を有する。
図６（Ｄ）の構成によれば、ユーザが基板４を横方向に移動させながら液塗布対象毛を梳く動作をするとき、ユーザはこれと同時に基板４の位置を前後方向に動かすようにすることにより、長い歯１１間の塗布液及び長い歯１１及び短い歯１２間の狭い間隔に液塗布対象毛を通すように操作をする必要がある。
この結果、ユーザは塗布対象毛に対して一段と丁寧な操作をしながら多量塗布域ＡＲ１及び調整塗布域ＡＲ２による塗布操作をユーザの間隔に合うように行わせることができる。
図６（Ｅ）の場合は、長い歯１１及び短い歯１２は前方になだらかに湾曲すると共に、その先端に球場の引玉２０を設けた構成を有する。
かくして図６（Ｅ）の構成によれば、ユーザは基板４を横方向に移動させて塗布対象毛を梳くような操作をするとき、引玉２０と塗布対象毛との干渉による抵抗を受けながら塗布対象毛を長い歯１１の間又は長い歯１１及び短い歯１２間の間を通すことにより多量塗布域ＡＲ１及び調整塗布域ＡＲ２による塗布操作をする。
この分、ユーザは塗布対象毛に対して丁寧な操作をすることになり、これにより一段とユーザの好みに適合した液塗布操作をすることができる。
（３）実施例
（３−１）ヘアブラシ
図７は、第１の実施の形態の液塗布具１をヘアブラシに適用した実施例を示す。
ここで液塗布具１を構成するヘアブラシは、頭髪を塗布液対象毛として、整髪用液をユーザの塗布操作によって塗布しようとするもので、ヘアブラシでなる液塗布具１は、図１との対応部分に同一符号を付して示すように、基板４の両側縁に配設された左及び右側櫛歯列５Ｌ及び５Ｒを構成する長い歯１１及び短い歯１２を順次交互に配列してなる液塗布本体部２を有する。
この実施例の場合、液塗布具１はヘアブラシとして、ユーザが結合部３を介して接続された柄２１を手のひらで握って液塗布本体部２の基板４を横方向に移動操作することにより塗布対象毛である櫛歯１３によって梳くような操作をする。
このような梳く操作をする前に、図８に示すように、整髪用液２３を液タンク２４から左及び右側櫛歯列５Ｌ及び５Ｒ間に供給する。
かくして整髪用液２３は基板４上の左及び右側櫛歯列５Ｌ及び５Ｒ間の空所に溜まっており、この整髪用液２３のうち、短い歯１２より高くかつ長い歯１１によって囲まれた部分が、隣合う長い歯１１の間を塗布対象毛が束になって通る際に多量に塗布される。
かくしてユーザが櫛歯１３の機能のうち多量塗布域ＡＲ１（図２（Ｂ））の機能によって塗布対象毛に多量の整髪用液２３を塗布できる。
この状態において、ユーザが基板４を横方向に傾けながら髪を梳く操作をすると、櫛歯１３の順次隣接する長い歯１１及び短い歯１２間の狭い隙間を少ない本数（１本又は少数本）の髪が通ることにより、当該短い歯１２の高さに残っている整髪用液２３が当該少ない毛に１本ずつ細く塗布される。
かくしてユーザは、短い歯１２及び長い歯１１の根元部分の狭い隙間を利用して髪毛を１本ずつ分離させるように梳くような調整をしながら、多量塗布域ＡＲ１の機能によって多量に塗布された整髪用液２３を１本１本の髪に塗布することにより、櫛歯１３の調整塗布域ＡＲ２（図２（Ｂ））の機能を行う。
かくして図７のヘアブラシとしての液塗布具１は、多量塗布域ＡＲ１及び調整塗布域ＡＲ２の機能によって整髪用液２３を多量に塗布しながら、かつ細かく調整しながら、塗布対象毛に細かい塗布をすることができる。
（３−２）マスカラブラシ
図９は、液塗布具１をマスカラブラシに適用した場合の実施例を示し、図１との対応部分に同一符号を付して示すように、液塗布本体部２を構成する左及び右側櫛歯列５Ｌ及び５Ｒと基板４との間の空所に塗布液としてのマスカラ液を保持させる。
この場合、基板４から後方に続く結合部３としてシャフトが用いられ、シャフトの後端部がキャップ部材３１に固着されている。
この液塗布具１はキャップ部材３１の先端部に設けられたねじ部３２を円筒形状のマスカラ液保持容器の取出口部の周囲に形成されているねじ部にねじ込むことにより液塗布本体部２をマスカラ液に浸しておき、ユーザがマスカラ液をまつ毛に塗布する際に、キャップ部材３１を指で摘んで液塗布本体部２をマスカラ液容器から引き出すことにより、左及び右側櫛歯列５Ｌ及び５Ｒ間にマスカラ液を保持した状態を得る。
かくしてユーザが塗布対象毛であるまつ毛に対して基板４を横方向に移動操作すれば、保持されているマスカラ液のうち、長い歯１１がまつ毛を梳くような動作をすることにより、長い歯１１間にあるマスカラ液が多量塗布域ＡＲ１（図２（Ｂ））の機能により多量に塗布される。
このように多量に塗布された状態において、短い歯１２及び長い歯１１間の狭い隙間を利用して調整塗布域ＡＲ２（図２（Ｂ））の動作をさせれば、まつ毛に塗布された多量のマスカラ液が、当該短い歯１２及び長い歯１１間の狭い隙間によってまつ毛を１本ずつ細かく梳くような動作をすることにより、多量に塗布されたマスカラ液がまつ毛に適量だけ塗布される状態に調整される。
かくして図９の液塗布具１によれば、塗布対象毛であるまつ毛にマスカラ液を適度に細かい調整を加えながらボリューム塗りすることができる。
図１０は、図９の他の実施例を示すもので、この場合図１０（Ｂ）及び（Ｃ）に示すように、左及び右側櫛歯列５Ｌ及び５Ｒ間の横方向の中央位置における基板４上に、前後方向に延長する山型の中間骨部材３４（図１０（Ｂ））又は板型の中間骨部材３５（図１０（Ｃ））を設ける。
中間骨部材３４及び３５の基板４からの高さは、短い歯１２の頂部から長い歯１１の頂部までの多量塗布域ＡＲ１の範囲に選定されている。
図１０の構成において、当該マスカラブラシとしての液塗布具をユーザが使用する場合、塗布対象毛であるまつ毛を中間骨部材３４又は３５の先端に当てた状態で基板４を移動操作する。
このとき、ユーザが基板４を傾けることにより、図１１（Ａ）に示すように、まつ毛３６を短い歯１２より高い位置、すなわち長い歯１１の間を通るように塗布操作をすれば、まつ毛３６は長い歯１１の多量塗布域ＡＲ１の機能によって長い歯１１の広い間隔を利用してマスカラ液３３を多量に塗布することができる。
これに対して、図１１（Ｂ）に示すように、基板４を傾けることにより、まつ毛３６を短い歯１２の間を通すような塗布操作をすれば、当該短い歯１２と長い歯１１との間の狭い隙間にまつ毛３６を通すことによる調整塗布域ＡＲ２の機能によってマスカラ液３３の塗布量を細かく調整することができる。
かくしてユーザは基板４、従って液塗布具１であるマスカラブラシを適宜に回転操作させることにより、多量塗布域ＡＲ１の機能から調整塗布域ＡＲ２の機能に、適宜に切り換えながら、マスカラ液を、まつ毛３６の１本１本に対して、意図するように、適正にボリューム塗りすることができる。
（３−３）毛染ブラシ
図１２は液塗布具１を毛染ブラシに適用した実施例を示し、図１との対応部分に同一符号を付して示すように、基板４に連続している結合部３がユーザが毛染操作のために手のひらで把持する柄４１に結合されている。
この毛染ブラシとしての液塗布具１の左及び右側櫛歯列５Ｌ及び５Ｒ間の基板４上には、毛染液タンク４２から毛染用液４３が供給され、ユーザは当該毛染用液４３を塗布対象毛である頭髪に塗布するものである。
左及び右側櫛歯列５Ｌ及び５Ｒ間を通った頭髪には、長い歯１１間の長い間隔にある毛染用液４３が、長い歯１１の多量塗布域ＡＲ１（図２（Ｂ））の機能によって大量に塗布される。
この状態において、ユーザが、基板４を傾けることにより、頭髪を短い歯１２及び長い歯１１間の狭い隙間を通すような塗布操作をすると、その調整塗布域ＡＲ２（図２（Ｂ））の機能によって頭髪に多量に塗布された毛染用液４３が、１本又は少数本の頭髪に、細かく分離しながら少量ずつ塗布し直されることにより、毛染用液４３が均一の濃さで塗布された状態に調整される。
かかる塗布操作をするにつき、毛染ブラシとしての液塗布具１の多量塗布域ＡＲ１の機能と、調整塗布域ＡＲ２の機能とを、ユーザが選択しながら利用することにより、簡易な操作で適切な毛染をすることができる。
図１３は図１２の他の実施例を示すもので、図１３との対応部分に同一符号を付して示すように、左及び右側櫛歯列５Ｌ及び５Ｒの幅方向の中心位置における基板４上に分割壁部４４が設けられ、これにより分割壁部４４と、左及び右側櫛歯列５Ｌ及び５Ｒとの間に、それぞれ毛染用液保有空所４５Ｌ及び４５Ｒが形成されている。
図１３の構成によれば、液塗布本体部２の左及び右側櫛歯列５Ｌ及び５Ｒ間に毛染液タンク４２（図１２）から毛染用液４３の供給を受けたとき、当該供給された毛染用液４３を毛染用液保有空所４５Ｌ及び４５Ｒに確実に保持できる。
かくしてユーザが基板４を操作して、液塗布対象である頭髪に左及び右側櫛歯列５Ｌ及び５Ｒ間にある毛染用液４３を塗布する場合に、毛染用液保有空所４５Ｌ及び４５Ｒと隣接する長い歯１１は短い歯１２とによる多量塗布域ＡＲ１及び調整塗布域ＡＲ２の機能によって確実に多量塗布及び少量塗布を行うことができる。
図１４は図１３のさらに他の実施例を示すもので、図１２及び図１３との対応部分に同一符号を付して示すように、左及び右側櫛歯列５Ｌ及び５Ｒ間に分割壁部４４が設けられている液塗布本体部２の基板４が結合部３を介して、毛染液タンク５１から導出された連結管部５２に接続されている。
かくして毛染液タンク５１から連結管部５２に導出された毛染用液は、基板４内に設けられた毛染液供給通路５３を通って分割壁部４４の毛染用液保有空所４５Ｌ及び４５Ｒに連通する供給開口５４を通じて毛染用液保有空所４５Ｌ及び４５Ｒに放出するようになされている。
図１４の構成において、毛染液タンク５１はそれ自体可撓性をもった円筒容器で構成されており、ユーザが被塗布対象毛である頭髪に毛染用液を塗布しようとする場合、手のひらで毛染液タンク５１に圧力を加えることにより、保有している連結管部５２、毛染液供給通路５３及び供給開口５４を介して毛染用液保有空所４５Ｌ及び４５Ｒに毛染用液を供給する。
かくしてユーザは頭髪に毛染用液を塗布する際に、直接に毛染用液に触れることなく左及び右側櫛歯列５Ｌ及び５Ｒの長い歯１１及び短い歯１２間に毛染用液を供給することができ、かくして一段と簡易な毛染操作を行うことができる。
図１５はさらに他の実施例を示すもので、この場合、図１４との対応部分に同一符号を付して示すように、図１４の場合は液塗布本体部２を全体として横型に構成し、ユーザは当該横型の液塗布本体部２に縦方向（前後方向）に結合部３を介して結合された毛染液タンク５１を手のひらで握って毛染用液の塗布操作をするように構成されているのに対して、図１５の場合は、基板４に対する結合部３が基板に対して上下方向の下方位置において結合対象に結合するように下方に導出されている。
かくして結合部３は縦方向に下方に設けられている毛染液タンク５１から上方に導出された連結管部５２を縦方向に結合する。
図１５の構成によれば、ユーザは基板４を横方向に毛染操作する際に、毛染液タンク５１を縦方向に立てるように手のひらで把持して、毛染液タンク５１に圧力を加えることにより、毛染液供給通路５３を通じて左及び右側櫛歯列５Ｌ及び５Ｒ間の毛染用液保有空所４５Ｌ及び４５Ｒに毛染用液を供給しながら、毛染操作をすることができる。
かくして一段と多様な毛染操作を行うことができるような液塗布具を実現し得る。
（４）第２の実施の形態
図１６〜図１９は、第２の実施の形態を示すものである。
上述の第１の実施の形態においては、図１及び図２について上述したように、左及び右側櫛歯列５Ｌ及び５Ｒを長い歯１１及び短い歯１２でなる櫛歯１３を用いて、塗布液１５を長い歯１１の広い間隔を利用した多量塗布域ＡＲ１の機能によって多量の塗布液を塗布すると共に、当該多量な塗布液が塗布された塗布対象毛に対して短い歯１２及び長い歯１１の根元部分の狭い隙間を利用して少量の塗布液を塗布するようにして、調整塗布域ＡＲ２の機能を実現している。
これによりユーザは、多量塗布域ＡＲ１の機能と、調整塗布域ＡＲ２の機能とを適宜組み合わせて液塗布本体部２の基板４を操作することにより、塗布対象毛に対する塗布液の適正な塗布を実現できる。
図１６〜図１９の第２の実施の形態においては、当該２つの機能をユーザが簡単に確認しながら塗布切換操作を行うことができるようにしたものである。
図１６は第２の実施の形態の第１の実施例を示すもので、図２及び図３との対応部分に同一符号を付して示すように、左及び右側櫛歯列５Ｌ及び５Ｒの長い歯１１の外側面における短い歯１２の高さＨ２に対応する位置に外方に、断面半円形状に、前後方向に延長しながら棒状に、突出する機能表示子６１が設けられている。
これにより左及び右側櫛歯列５Ｌ及び５Ｒを外側から見たとき、短い歯１２の頂点に相当する位置において前後方向に延長する機能境界線ＬＸ１上に機能表示子６１が配列していることを、当該液塗布本体部２を操作しているユーザが目視確認することができる。
図１６の構成において、ユーザが液塗布本体部２によって塗布対象毛に塗布操作を行っているとき、機能表示子６１が塗布対象毛に隠れているように見える場合、塗布対象毛は長い歯１１の間を通りながら多量塗布域ＡＲ１の機能によって塗布液を多量に塗布されていることを表している。
これに対して、左及び右側櫛歯列５Ｌ及び５Ｒの機能表示子６１が塗布対象毛より上方に浮いてみえるときには、塗布対象毛は短い歯１２及び長い歯１１の狭い隙間を通ることにより、調整塗布域ＡＲ２の機能によって塗布対象毛が細かく塗布量の調整を受けている状態にあることを示している。
図１６の構成によれば、短い歯１２の頂部に相当する高さの機能境界線ＬＸ１に沿って前後方向に配列する機能表示子６１を左及び右側櫛歯列の長い歯１１の外側に設けるようにしたことにより、ユーザが当該機能表示子６１を見ながら、液塗布本体部２を多量塗布域ＡＲ１の機能によって多量の塗布液を塗布している状態にあること、又は調整塗布域ＡＲ２の機能によって少量の塗布液を塗布している状態にあることを、確認しながら塗布対象毛に対する塗布操作をすることができ、その結果ユーザが、液塗布本体部２を多量に塗布する多量塗布域ＡＲ１の塗布動作から、少量に塗布する調整塗布域ＡＲ２に切換わった状態を簡易に見分けることができることにより、意図している適正な塗布操作をすることができる。
図１７は第２の実施の形態の第２の実施例を示すもので、図１６との対応部分に同一符号を付して示す。
この場合、左及び右側櫛歯列５Ｌ及び５Ｒの短い歯１２の横方向の幅Ｗ１は、長い歯１１の幅Ｗ２より大きい値に選定されていると共に、長い歯１１の短い歯１２と対向する部分の横幅は、短い歯の横幅Ｗ１と一致するように幅広になっている。
この長い歯１１の根元の幅広の部分は、短い歯２の頂部に相当する位置を通る機能境界線ＬＸ２の下側に選定されている。
図１７の構成において、左及び右側櫛歯列５Ｌ及び５Ｒを外側から見たとき、短い歯１２の頂点に相当する位置に、前後方向に、多量塗布域ＡＲ１の機能及び調整塗布域ＡＲ２の機能動作の境界を表す機能境界線ＬＸ２が、長い歯１１の横幅Ｗ２の広さから、短い歯１２の横幅Ｗ１及び長い歯１１の同じ横幅の幅広部分１１Ｂが外側に突出した構成を表わすようになっている。
従って、ユーザが当該幅広の短い歯１２及び長い歯の幅広部分１１Ｂの機能境界線ＬＸ２が塗布対象毛から見えない状態で塗布対象毛に対する塗布操作をしているとき、ユーザは、液塗布本体部２を多量塗布域ＡＲ１の機能によって多量の塗布液を塗布している状態にあることが分かる。
これに対して、左及び右側櫛歯列５Ｌ及び５Ｒにおいて、機能境界線ＬＸ２が見える状態で塗布操作をしているとき、ユーザは、液塗布本体部２が調整塗布域ＡＲ２の機能によって液塗布対象毛に対して少量の塗布液を塗布している状態にあることが分かる。
図１７の構成によれば、液塗布本体部２が多量塗布域ＡＲ１の機能を行っているか、又は調整塗布域ＡＲ２の機能を行っているかを、機能境界線ＬＸ２をユーザが見えるか否かによって判断することができる。
しかもこのとき、液塗布本体部２は調整塗布域ＡＲ２の機能によって、少量の塗布液を塗布している状態において、機能表示子６２を構成している短い歯１２及び長い歯１１の幅広部分１１Ｂが横方向に幅広になっていることにより、短い歯１２及び幅広部分１１Ｂ間の狭い隙間を広い横幅を塗布対象毛が通っている状態になっている。
このことは当該幅広の部分が、左及び右側櫛歯列５Ｌ及び５Ｒにおいて横方向に外方に突出した形状部分として目視できる状態にあることを意味し、これによりユーザは当該突出した形状部分が見えるか否かによって、液塗布本体部２が、塗布対象毛に対して多量の塗布液を塗布する多量塗布域ＡＲ１の機能によって塗布している状態から、少量の塗布液を塗布する調整塗布域ＡＲ２の機能によって塗布している状態に切換ったか否かを明確に目視確認できる。このとき長い歯１１の幅広部分１１Ｂ１と短い歯１２とが外方に突出した形状になっていることによって塗布対象毛を１本１本梳き分け易い状態になっている。
かくして図１７の構成によれば、塗布対象毛に多量に塗布されていた塗布液を確実に適正に塗布状態の調整を行うことができる。
図１８は第２の実施の形態の第３の実施例を示すもので、図１６との対応部分に同一符号を付して示す。
この場合、左及び右側櫛歯列５Ｌ及び５Ｒの長い歯１１は、先側部分１１Ａ２の多量塗布域ＡＲ１から下側部分１１Ｂ２の調整塗布域ＡＲ２に移る機能境界線ＬＸ３までの間、横方向の幅が外側に向かって幅広に広くなった後、機能境界線ＬＸ３を通って基板４に行くに従って横幅が狭くなって行くような断面形状を有する。
これに対して左及び右側櫛歯列の短い歯１２は、機能境界線ＬＸ３から基板４に行くに従って横幅が長い歯の下部部分１１Ｂ２の横幅と同じ値になっている。
かくして左及び右側櫛歯列５Ｌ及び５Ｒは、多量塗布域ＡＲ１の機能をもつ長い歯１１の上側部分１１Ａ２が外側に膨出し、当該膨出部の下端が機能境界線ＬＸ３を通り、その後下側部分１１Ｂ２が幅狭になることにより、機能境界線ＬＸ３の位置で外側に突出する機能表示子６３を形成している。
図１８の構成において、ユーザが塗布対象毛に対して塗布操作をしているときに、長い歯１１の上側部分１１Ａのみが見えるとき、ユーザは長い歯１１の大きい間隔による多量塗布域ＡＲ１の機能によって多量な塗布液を塗布対象毛に塗布していることを確認できる。
これに対して、機能表示子６３の傾斜が加わって幅狭になって行くような短い歯１２及び長い歯１１の下側部分１１Ｂ２が見えるとき、調整塗布域ＡＲ２の機能によって少量の塗布液を塗布対象毛に塗布している状態を確認できる。
このようにして図１８の構成によれば、ユーザは機能表示子６３を目視することにより、液塗布本体部２が多量塗布域の機能を行っているか、又は調整塗布域ＡＲ２の機能を行っているかを、簡易に判断できることにより、意図した塗布量の塗布域を適正に塗布することができる。
かくするにつき、機能表示子６３を形成している長い歯１１及び短い歯１２が機能境界線ＬＸ３の位置まで外側に幅広に膨出していることにより、長い歯１１の上側部分１１Ａ２間の間隔を通る塗布対象毛に対する横幅が比較的広い対向面によって塗布動作ができることにより、安定に多量の塗布液を塗布することができる。
これに加えて、短い歯１２と長い歯１１の下側部分１１Ｂ２との狭い隙間を塗布対象毛が通るときにも、機能表示子６３を形成するために幅広に構成されているので、塗布対象毛を容易に１本１本梳き分けて少量の塗布液を塗布する調整塗布域ＡＲ２の機能を行うことができる。
図１９は第２の実施の形態の第４の実施例を示す。
この場合の液塗布本体部２は、図１６との対応部分に同一符号を付して示すように、長い歯１１の大きい間隔に基づく多量塗布域ＡＲ１の機能と、短い歯１２と隣接する長い歯１１との狭い隙間による調整塗布域ＡＲ２との機能境界線ＬＸ４が、左及び右側櫛歯列５Ｌ及び５Ｒの長い歯１１及び短い歯１２から外側に幅広に膨出する機能表示子６４によって外側から見分けられるようになされている。
これに加えて図１９の場合は、長い歯１１及び短い歯１２の下端部１１Ｘ及び１２Ｘは、内側に折れ曲がって基板４の側面に連結している。
かくして図１９の場合の左及び右側櫛歯列５Ｌ及び５Ｒは、基板４の側面から外側に突出した位置に、長い歯１１及び短い歯１２による櫛歯１３を形成している。
図１９の構成において、ユーザが塗布対象毛に対して液塗布本体部２を塗布操作したとき、機能表示子６４が塗布対象毛から見えないときは、左及び右側櫛歯列５Ｌ及び５Ｒの長い歯１１の長い間隔によって多量塗布域ＡＲ１の機能によって多量の塗布液を塗布している状態になっている。
これに対して、機能表示子６４が目視確認できる状態になると、塗布対象毛は短い歯１２と隣接する長い歯１１との間の狭い隙間によって調整塗布域ＡＲ２の機能を実行する状態に切換っていることを確認できる。
このような図１９の構成は、調整塗布域ＡＲ２の機能を実行しているとき、塗布対象毛は短い歯１２及び長い歯１１の外側に幅広になるように膨出している機能表示子６４の狭い隙間を塗布対象毛が通る状態になっているので、当該広い歯の部分によって安定に多量塗布域ＡＲ１によって塗布された多量の塗布液を、少量塗布するように調整されると共に、外方に突出した部分によって塗布対象毛を１本１本梳き分け易いという効果を得ることができる。
（５）第３の実施の形態
図２０は第３の実施の形態の第１の実施例を示すものである。
図２０（Ａ）、（Ｂ）、（Ｃ）、（Ｄ）及び（Ｅ）は、それぞれ図２、図１６、図１７、図１８及び図１９の液塗布本体部２において、左及び右側櫛歯列５Ｌ及び５Ｒ間の中間位置に、基板４の延長方向に沿うように中間櫛歯列７１を設ける。
この中間櫛歯列７１は、図２の左及び右側櫛歯列５Ｌ及び５Ｒと同様に、長い歯１１を長い間隔をもつように基板４の縦方向に配列すると共に、当該長い歯１１の中間位置に短い歯１２を配設した左及び右側櫛歯列の中間位置に配設された構成を有する。
図２０の構成によれば、ユーザが塗布対象毛を長い歯１１の間の広い間隔を通す状態においてユーザが液塗布本体部２を多量塗布域ＡＲ１の機能によって多量の塗布液を塗布する動作と、短い歯１２と長い歯１１の低い部分との間に塗布対象毛を通した状態において塗布対象毛に比較的少ない塗布量の塗布液を塗布する動作の際に、左及び右側櫛歯列５Ｌ及び５Ｒの中間位置に同じような構成を有する中間櫛歯列７１が設けられていることにより、液塗布本体部２の多量塗布域ＡＲ１の機能と、調整塗布域ＡＲ２の機能とを同じように行うことができることにより、当該２つの機能の動作を安定になし得ると共に、中間櫛歯列７１の各歯によって塗布液に生ずる表面張力によって、塗布液を、左及び右側櫛歯列５Ｌ及び５Ｒ間に確実に保持できるような液塗布本体部２を得ることができる。
図２１は、第３の実施の形態の第２の実施例を示すもので、この場合も図２０について上述したと同様に、図２、図１６、図１７、図１８及び図１９の液塗布本体部２に対して、分割壁部７２を設けた構成を有する。
この分割壁部７２は、基板４上における左及び右側櫛歯列５Ｌ及び５Ｒ間の横方向の中間位置において、左及び右側櫛歯列５Ｌ及び５Ｒと対向するような前後方向の長さを有すると共に、短い歯１２の頂点と、長い歯１１の頂点との間の高さを有する。
図２１の構成によれば、ユーザは図２２（Ａ）に示すように、分割壁部７２の頂点を基準にして、塗布対象毛７３を、当該分割壁部７２に当接させる程度の高さであってかつ短い歯１２の頂点より高い位置を通すような状態で、液塗布本体部２を塗布操作する。
このとき塗布対象毛７３は、液塗布本体部２の左及び右側櫛歯列５Ｌ及び５Ｒの長い歯１１の間の広い間隔を通る状態になり、これにより多量の塗布液７４を塗布される。
これに対して、ユーザが、図２２（Ｂ）に示すように、塗布対象毛７３を分割壁部７２の頂点に当接させた状態において、短い歯１２と長い歯１１との間の狭い隙間に塗布対象毛７３を通すように基板４を操作すれば、塗布対象毛７３に対して少量の塗布液を塗布する状態になる。
図２１の構成によれば、左及び右側櫛歯列５Ｌ及び５Ｒによる塗布対象毛７３に対する塗布動作を、分割壁部７２の頂点を基準にして多量に塗布できる多量塗布域ＡＲ１による塗布動作と、少量の塗布液によって塗布対象毛７３に対する塗布状態を調整できる調整塗布域ＡＲ２への塗布状態の切換えを容易になし得る。
この結果ユーザは塗布対象毛に対する塗布量の選択を確実になし得る液塗布本体部２を得ることができる。
これに加えて図２１（Ｂ）〜（Ｅ）に示すように、機能表示子６１〜６４を有するような液塗布本体部２については、かかる２つの機能の切換えを当該機能表示子６１〜６４を見ながら確実に行うことができる。
（６）第４の実施の形態
図２３は第４の実施の形態を示すものである。
この場合、図２との対応部分に同一符号を付して示すように、左及び右側櫛歯列５Ｌ及び５Ｒの長い歯１１の幅方向の間に、長い歯１１の高さＨ１より低くかつ短い歯１２の高さＨ２より高い２種類の中間高さの歯、すなわち第１中間高さの歯８１Ｌ１及び８１Ｒ１と、第２中間高さの歯８１Ｌ２及び８１Ｒ２とが設けられている。
これにより、長い歯１１の長い間隔において行われる多量塗布域ＡＲ１の機能について、第１中間高さの歯８１Ｌ１及び８１Ｒ１の先端より高い空所に保持されている塗布液は、当該第１中間高さの歯８１Ｌ１及び８１Ｒ１より高い部分を通過する塗布対象毛に対して最も多量の塗布液を塗布する。
これに対して、第１中間高さの歯８１Ｌ１及び８１Ｒ１の頂点と第２中間高さの歯８１Ｌ２及び８１Ｒ２の頂点との間を通る塗布対象毛に対しては、第１中間高さの歯８１Ｌ１及び８１Ｒ１間の狭い間隔に相当する多量の塗布液が塗布される。
さらに、第２中間高さの歯８１Ｌ２及び８１Ｒ２の頂点と短い歯１２の頂点との間に保持されている塗布液について、当該第２中間高さの歯８１Ｌ２及び８１Ｒ２との間のさらに狭い間隔に相当する塗布液を塗布することができる。
図２３の構成によれば、長い歯１１が多量塗布域ＡＲ１の多量塗布機能を行う際に、これを第１中間高さの歯８１Ｌ１及び８１Ｒ１と第２中間高さの歯８１Ｌ２及び８１Ｒ２によって３分割することにより、３種類の多量塗布域ＡＲ１１、ＡＲ１２及びＡＲ１３に分割した３つの作用を実現することができる。
図２３の構成において、ユーザが液塗布本体部２によって、多量塗布域ＡＲ１のうち、長い歯１１の頂点と、第１中間高さの歯８１Ｌ１及び８１Ｒ１の頂点の間に塗布対象毛を通したとき、最大量の塗布液を塗布対象毛に塗布することができる。
またユーザが液塗布本体部２を操作することにより、第１中間高さの歯８１Ｌ１及び８１Ｒ１の頂点と第２中間高さの歯８１Ｌ２及び８１Ｒ２の頂点間に塗布対象毛を通すような操作をすれば、最大塗布量より少し少ない塗布量の塗布液を被塗布対象毛に塗布することができる。
さらに、ユーザが液塗布本体部２を、塗布対象毛に対して、第２中間高さの歯８１Ｌ２及び８１Ｒ２の頂点と、短い歯１２の頂点との間に塗布対象毛を通すような操作をすれば、少し少ない量ではあるが多量の塗布液を塗布できるような塗布操作をすることができる。
図２３の構成によれば、液塗布本体部２によって多量の塗布液を塗布するような操作をするにつき、塗布対象毛に対する液塗布本体部２の押付強さを適宜に調整することにより、ユーザが意図した多量の塗布液を塗布できる液塗布本体部２を実現できる。
（７）第５の実施の形態
図２４は第５の実施の形態を示すもので、図２との対応部分に同一符号を付して示すように、左及び右側櫛歯列５Ｌ及び５Ｒ間に、塗布液１５を保持するための液保持部材８５Ａ及び８５Ｂを設けた。
図２４（Ａ）の液保持部材８５Ａは、基板４の幅方向の中心ライン上に左及び右側櫛歯列５Ｌ及び５Ｒと対向するように連続して設けられた細長のハケブラシを配設した構成を有する。
また図２４（Ｂ）の液保持部材８５Ｂは、基板４の中心線に沿って左及び右側櫛歯列５Ｌ及び５Ｒと対向して前後方向に延長するように配設された捻じりブラシによって構成されている。
この捻じりブラシは合成樹脂材料の毛材を捻じり合わされた２本の芯材間に挟着保持した構成を有する。
これらの液保持部材８５Ａ及び８５Ｂは毛の部分に残った液が表面張力によって保持される。
図２４の構成によれば、液保持部材８５Ａ及び８５Ｂによって左及び右側櫛歯列５Ｌ及び５Ｒ間の塗布液１５を外部に垂れ落すようなおそれを有効に回避できる液塗布本体部２を実現し得る。
（８）第６の実施の形態
図２５は第６の実施の形態を示すもので、左及び右側櫛歯列５Ｌ及び５Ｒ間に塗布液１５を外部から供給する供給通路を設けたものである。
図２５（Ａ）の場合、図２１（Ａ）との対応部分に同一符号を付して示すように、基板４の中心線に沿って前後方向に延長する分割壁部７２を有する液塗布本体部２に対して、基板４を貫通するように設けられた液供給管路９１から分割壁部７２の通路９１Ａによって先端部に設けられた放出口９１Ｂから塗布液１５を放出させる。
図２５（Ａ）の構成の液塗布本体部２に対して、その手元側に結合された塗布液タンク（図示せず）から塗布液を供給することにより、ユーザは手に塗布液を付着させることなく左及び右側櫛歯列５Ｌ及び５Ｒ間に塗布液１５を供給することができる。
図２５（Ｂ）は、第２の実施例で、図２について上述した液塗布本体部２について、その基板４を貫通するように液供給管路９２を設け、基板４の左及び右側櫛歯列５Ｌ及び５Ｒ間に設けられた放出口９２Ａを通って塗布液１５を供給する。
図２５（Ｃ）の場合は、図２１（Ａ）について上述したと同様に分割壁部７２を有すると共に、左右に仕切られた空所に対して、基板４を貫通する液供給管路９３の放出口９３Ｌ及び９３Ｒを通って塗布液１５を供給する。
図２５（Ｃ）の構成によれば、液供給管路９３を介して外部から供給される塗布液１５を、分割壁部７２によって仕切られた液保持空所に順序配列するように設けられた中間高さの歯９４Ｌ及び９４Ｒの間隔に過不足なく供給することができる。
図２５（Ｄ）の第４の実施例の場合は、図２４（Ａ）について上述した液保持部材８５Ａを有する場合で、この場合は基板４の厚みを貫通するように設けられた液供給口９６Ｌ及び９６Ｒを通って液保持部材８５Ａの周囲に塗布液を供給する。
同様に図２５（Ｅ）の第５の実施例の場合は、図２４（Ｂ）について上述したように液保持部材８５Ｂを有する液塗布本体部２について、塗布液１５を基板４の厚みを貫通して設けられた液供給口９６を通じて液保持部材８５Ｂの周囲に供給される。
図２５（Ｄ）及び（Ｅ）の構成によれば、ユーザが手を汚すことなく塗布液１５を左及び右側櫛歯列５Ｌ及び５Ｒの間の空所に供給することができる。
（９）他の実施の形態
（９−１）上述の実施の形態においては、本発明をヘアブラシ、マスカラブラシ及び毛染ブラシに適用した場合について述べたが、本発明はこれに限らず、要するに、櫛型のブラシによって液塗布対象毛に対して塗布液を塗布する場合に広く適用できる。
（９−２）上述の実施の形態における左及び右側櫛歯列５Ｌ及び５Ｒにおいては、図２６（Ａ）に示すように、長方形状の基板４の左及び右縁に直線的に長い歯１１及び短い歯１２を交互に配列することにより、長い歯１１と短い歯１２とが互いに平行に並ぶように構成されている。
しかしながらこの左及び右側櫛歯列５Ｌ及び５Ｒの相互の配列関係は、図２６（Ａ）のように互いに平行であるばかりでなく、図２６（Ｂ）、（Ｄ）及び（Ｅ）に示すように、基板４の形状が台形形状、菱形形状及び湾曲形状である場合には、当該基板４の縁部の形状に沿って、台形配列、矩形配列及び湾曲配列になっても良い。
さらには、図２６（Ｃ）に示すように、左及び右側櫛歯列５Ｌ及び５Ｒの長い歯１１及び短い歯１２の配列が基板４の側縁の延長方向に見て交互に外側又は内側に出入りするように配列させても良い。
要するに、左及び右側櫛歯列５Ｌ及び５Ｒを構成する長い歯１１及び短い歯１２は、相互に対向するように配置されていれば良く、かくして当該対向している長い歯１１間の空所に多量塗布域ＡＲ１の多量の塗布を行う機能を実現できるのに対して、互いに対向する短い歯１２間の空所によって少量の塗布を行う調整塗布域ＡＲ２の機能を実現できる。
（９−３）図２７はさらに他の実施の形態として、左及び右側櫛歯列５Ｌ及び５Ｒの先端部の構成の変形例を示す。
図１について上述した実施の形態においては、左及び右側櫛歯列５Ｌ及び５Ｒの先端の構成は、図２７（Ａ）に示すように、基板４の先端縁部において長い歯１１が対向する状態で開口により終端している。
この櫛歯列の終端の仕方はこれに限らず、図２７（Ｂ）に示すように、蓋板部材９９によって閉塞するようにしても良い。
この実施の形態の場合の蓋板部材９９は、高さが長い歯１１と同程度であり、かつ幅が対向する長い歯１１の配置長さに相当するように選定されている。
かくして、蓋板部材９９は互いに対向している長い歯１１間に保持されている塗布液を、先端側に落さないような保持補強機能を果たす。
また図２７（Ｃ）の実施の形態の場合には、基板４の先端縁部において、互いに相対向する長い歯１１の間に２本の補助歯１１Ｘが配列されている。
この補助歯１１Ｘは左及び右側櫛歯列５Ｌ及び５Ｒの先端の長い歯１１と同じ長さを有する。
図２７（Ｃ）の構成によれば、左及び右側櫛歯列５Ｌ及び５Ｒの先端において相対向する２本の長い歯１１間に、ほぼ同様の長さの補助歯１１Ｘが設けられていることにより、先端の長い歯１１によって保持されている塗布液を、その間に配設された補助歯１１Ｘの表面張力によって塗布液を先端側に落さないようにこれを保持できる。
【産業上の利用可能性】
【０００７】
本発明は塗布対象毛に対して塗布液を塗布する際に用いる櫛型の液塗布具に適用できる。
【符号の説明】
【０００８】
１……液塗布具、２……液塗布本体部、３……結合部、４……基板、５Ｌ、５Ｒ……左、右側櫛歯列、１１……長い歯、１２……短い歯、１３……櫛歯、１５……塗布液、２１……柄、２３……整髪用液、２４……液タンク、３１……キャップ部材、３３……マスカラ液、３４、３５……中間骨部材、３６……まつ毛、４１……柄、４２……毛染液タンク、４３……毛染用液、４４……分割壁部、４５Ｌ、４５Ｒ……毛染用液保有空所、５１……毛染液タンク、５２……連結管部、５３……毛染液供給通路、５４……供給開口、６１〜６４……機能表示子、７１……中間櫛歯列、７２……分割壁部、８１Ｌ１、８１Ｒ１……第１中間高さの歯、８１Ｌ２、８１Ｒ２……第２中間高さの歯、８５Ａ、８５Ｂ……液保持部材、９１……液供給管路、９１Ａ……通路、９１Ｂ……放出口、９３……液供給管路、９３Ｌ、９３Ｒ……放出口、９４Ｌ、９４Ｒ……中間高さの歯、９５Ｌ、９５Ｒ、９６……液供給口
【図１】
2012164734.tif 000003
【図２】
2012164734.tif 000004
【図３】
2012164734.tif 000005
【図４】
2012164734.tif 000006
【図５】
2012164734.tif 000007
【図６】
2012164734.tif 000008
【図７】
2012164734.tif 000009
【図８】
2012164734.tif 000010
【図９】
2012164734.tif 000011
【図１０】
2012164734.tif 000012
【図１１】
2012164734.tif 000013
【図１２】
2012164734.tif 000014
【図１３】
2012164734.tif 000015
【図１４】
2012164734.tif 000016
【図１５】
2012164734.tif 000017
【図１６】
2012164734.tif 000018
【図１７】
2012164734.tif 000019
【図１８】
2012164734.tif 000020
【図１９】
2012164734.tif 000021
【図２０】
2012164734.tif 000022
【図２１】
2012164734.tif 000023
【図２２】
2012164734.tif 000024
【図２３】
2012164734.tif 000025
【図２４】
2012164734.tif 000026
【図２５】
2012164734.tif 000027
【図２６】
2012164734.tif 000028
【図２７】
2012164734.tif 000029
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
基板の板面上の左及び右側縁部に当該側縁部に沿うように配設されることにより、間に塗布対象毛に塗布すべき塗布液を保持する左及び右側櫛歯列を有し、
上記左及び右側櫛歯列は、長い歯及び短い歯が、幅方向において互いに対向し、かつ上記側縁部の延長方向において順次交互に配列されており、
上記左及び右側櫛歯列の上記延長方向に隣り合う２本の上記長い歯は、広い間隔によって、上記塗布対象毛に対して多量の塗布液を塗布する多量塗布域機能を有し、
上記左及び右側櫛歯列の上記延長方向に隣り合う上記長い歯及び上記短い歯は、狭い隙間によって、上記塗布対象毛に対して少量の塗布液を塗布する調整塗布域機能を有する
ことを特徴とする液塗布具。
【請求項２】
上記基板の板面上における上記左及び右側櫛歯列間の中央位置に、当該左及び右側櫛歯列と対向しながら前後方向に延長するように中間骨部材が設けられ、
上記中間骨部材は、上記短い歯の頂点と上記長い歯の頂点との間の高さを有する
ことを特徴とする請求項１に記載の液塗布具。
【請求項３】
基板の板面上の左及び右側縁部に当該側縁部に沿うように配設されることにより、間に塗布対象毛に塗布すべき塗布液を保持する左及び右側櫛歯列を有し、
上記左及び右側櫛歯列は、長い歯及び短い歯が、幅方向において互いに対向し、かつ上記側縁部の延長方向において順次交互に配列されており、
上記左及び右側櫛歯列の上記延長方向に隣り合う２本の上記長い歯は、広い間隔によって、上記塗布対象毛に対して多量の塗布液を塗布する多量塗布域機能を有すると共に、
上記左及び右側櫛歯列の上記延長方向に隣り合う上記長い歯及び上記短い歯は、狭い隙間によって、上記塗布対象毛に対して少量の塗布液を塗布する調整塗布域機能を有し、
上記左及び右側櫛歯列の上記長い歯の外側面に、上記短い歯の高さに相当する位置において外方に突出する機能表示子が設けられ、
上記塗布対象毛に対して塗布動作しているとき上記機能表示子が目視できるか否かによって、上記多量塗布域機能を行っているか、又は上記調整塗布域機能を行っているかを確認できるようにした
ことを特徴とする液塗布具。
【請求項４】
上記左及び右側櫛歯列において、上記長い歯の間に配設されている短い歯の外側面に、上記長い歯の上記機能表示子と並ぶように、同じ形状の他の機能表示子が外方に突出するように設けられている
ことを特徴とする請求項３に記載の液塗布具。
【請求項５】
基板の板面上の左及び右側縁部に当該側縁部に沿うように配設されることにより、間に塗布対象毛に塗布すべき塗布液を保持する左及び右側櫛歯列を有する液塗布本体部をユーザが塗布操作したとき、
上記左及び右側櫛歯列は、長い歯及び短い歯が、幅方向において互いに対向し、かつ上記側縁部の延長方向において順次交互に配列されており、
上記左及び右側櫛歯列の上記延長方向に隣り合う２本の上記長い歯は、広い間隔によって、上記塗布対象毛に対して多量の塗布液を塗布する多量塗布域機能を有し、
上記左及び右側櫛歯列の上記延長方向に隣り合う上記長い歯及び上記短い歯は、狭い隙間によって、上記塗布対象毛に対して少量の塗布液を塗布する調整塗布域機能を有することにより、
上記多量域機能によって多数本の上記塗布対象毛に対して多量の塗布液を塗布した後、上記調整塗布域機能によって当該塗布された多量の塗布液を、１本又は少数本の上記塗布対象毛に対して少量の塗布液を調整塗布する状態に切り換える
ことを特徴とする塗布液塗布方法。
【手続補正２】
【補正対象書類名】明細書
【補正対象項目名】全文
【補正方法】変更
【補正の内容】
【発明の詳細な説明】
【技術分野】
【０００１】
本発明は液塗布具及び塗布液塗布方法に関し、特に櫛型の塗布ブラシに適用するものである。
【背景技術】
【０００２】
整髪料のヘアブラシ、まつ毛塗布用のマスカラブラシ、毛染用の毛染ブラシにおいて、塗布対象毛である頭髪又はまつ毛に対して、塗布液である整髪用液、マスカラ液、毛染用液を塗布する手段として、櫛型（コーム型）の液塗布具が提案されている（特許文献１、２及び３参照）。
【先行技術文献】
【特許文献】
【０００３】
【特許文献１】：実用新案登録第３１０３４０４号公報
【特許文献２】：特開２００６−２８０５２３公報
【特許文献３】：特開２０１０−１５５０１４公報
【発明の概要】
【０００４】
この種の液塗布具をユーザが使用する場合、ユーザが塗布しようとする塗布対象毛に対して必要と考える液量の塗布液を、できるだけ簡易な操作で、塗布できるようにすることが、液塗布具の利便性を高める点から望ましい。
【０００５】
本発明は、かかる点を考慮してなされたもので、必要に応じて多量の塗布液を、１本又は少数本の毛に対して細かく調整しながら塗布できるようにした液塗布具を提案しようとするものである。
【０００６】
かかる課題を解決するため本発明においては、液塗布具は、基板の板面上の左及び右側縁部に当該側縁部に沿うように配設されることにより、間に塗布対象毛に塗布すべき塗布液を保持する左及び右側櫛歯列を有する。
【０００７】
左及び右側櫛歯列は、長い歯及び短い歯が、幅方向において互いに対向し、かつ基板の側縁部の延長方向において順次交互に配列されており、これにより互いに対向している長い歯間及び短い歯間に塗布液を保持している。
【０００８】
左及び右側櫛歯列の、側縁部の延長方向に隣り合う２本の長い歯は、広い間隔によって、塗布対象毛に対して多量の塗布液を塗布する多量塗布域機能を有すると共に、左及び右側櫛歯列の、側縁部の延長方向に隣り合う長い歯及び短い歯は、狭い隙間によって、塗布対象毛に対して少量の塗布液を塗布する調整塗布域機能を有する。
【０００９】
本発明によれば、長い歯の配列の間に、短い歯を配設することにより、長い歯及び短い歯が順次交互に配列されてなる左及び右側櫛歯列を基板の板面上に設けて、長い歯によって多量塗布機能を行い、また短い歯と長い歯とによって調整塗布域機能を行うようにしたことにより、塗布対象毛に対して塗布した多量の塗布液を、１本又は少数本の毛に対して少量ずつ調整しながら塗布できる液塗布具を実現できる。
【００１０】
これにより、液塗布具は、塗布対象毛に対して多量の塗布液を塗布する塗布機能と、少量の塗布液を塗布する塗布機能とを、選択的に行い得る。
【図面の簡単な説明】
【００１１】
【図１】図１は、本発明による液塗布具の第１の実施の形態における液塗布本体部を示す斜視図である。
【図２】図２の（Ａ）及び（Ｂ）は、図１の液塗布本体部の側面構造及び先端断面構造を示す側面図及び断面図である。
【図３】図３は、図１の櫛歯１３の詳細構成を示す斜視図である。
【図４】図４は、許容できる長さの比率の説明に供する、（Ａ）許容範囲、（Ｂ）マスカラブラシの場合、（Ｃ）染毛ブラシの場合、の略線図である。
【図５】図５の（Ａ）〜（Ｄ）は、第１の実施の形態の変形例を示す側面図である。
【図６】図６の（Ａ）〜（Ｅ）は、第１の実施の形態の他の変形例を示す側面図である。
【図７】図７は、第１の実施の形態をヘアブラシに適用した場合の実施例を示す斜視図である。
【図８】図８は、図７のヘアブラシに対する整髪用液の供給の仕方を示す斜視図である。
【図９】図９は、第１の実施の形態をマスカラブラシに適用した場合の実施例を示す斜視図である。
【図１０】図１０の（Ａ）、（Ｂ）及び（Ｃ）は、図９の他の実施例を示す側面図、及び断面図である。
【図１１】図１１の（Ａ）及び（Ｂ）は、図１０の場合の塗布動作の説明に供する略線図である。
【図１２】図１２は、第１の実施の形態を毛染ブラシに適用した場合の実施例を示す斜視図である。
【図１３】図１３の（Ａ）及び（Ｂ）は、図１２の他の実施例を示す側面図及び断面図である。
【図１４】図１４は、図１２の他の実施例を示す斜視図である。
【図１５】図１５は、図１２のさらに他の実施例を示す斜視図である。
【図１６】図１６の（Ａ）及び（Ｂ）は、第２の実施の形態の液塗布本体部の第１の実施例を示す断面図及び斜視図である。
【図１７】図１７の（Ａ）及び（Ｂ）は、第２の実施の形態の第２の実施例を示す断面図及び斜視図である。
【図１８】図１８の（Ａ）及び（Ｂ）は、第２の実施の形態の第３の実施例を示す断面図及び斜視図である。
【図１９】図１９の（Ａ）及び（Ｂ）は、第２の実施の形態の第４の実施例を示す断面図及び斜視図である。
【図２０】図２０の（Ａ）〜（Ｅ）は、第３の実施の形態の第１の実施例を示す断面図である。
【図２１】図２１の（Ａ）〜（Ｅ）は、第３の実施の形態の第２の実施例を示す断面図である。
【図２２】図２２の（Ａ）及び（Ｂ）は、第２の実施の形態の塗布動作の説明に供する略線図である。
【図２３】図２３は、第４の実施の形態を示す断面図である。
【図２４】図２４の（Ａ）及び（Ｂ）は、第５の実施の形態を示す断面図である。
【図２５】図２５は、第６の実施の形態を示す、（Ａ）第１の実施例、（Ｂ）第２の実施例、（Ｃ）第３の実施例、（Ｄ）第４の実施例、（Ｅ）第５の実施例、の断面図である。
【図２６】図２６の（Ａ）〜（Ｅ）は、他の実施の形態を示す略線図である。
【図２７】図２７の（Ａ）〜（Ｃ）は、さらに他の実施の形態を示す略線図である。
【発明を実施するための形態】
【００１２】
以下図面について、本発明の一実施の形態を詳述する。
【００１３】
（１）第１の実施の形態
（１−１）構成
図１は第１の実施の形態の液塗布具１を示すもので、液塗布本体部２と、当該液塗布本体部２を、ユーザが手で持って塗布操作をする把持部に結合する結合部３を有する。
【００１４】
液塗布本体部２は結合部３から前方に突出する長方形板状の基板４を有し、基板４の板面の左及び右側縁部に左側櫛歯列５Ｌ及び右側櫛歯列５Ｒが形成されている。
【００１５】
左側櫛歯列５Ｌ及び右側櫛歯列５Ｒは、基板４を根元側から先端側に前方に行くに従って、長い歯１１及び短い歯１２を順次交互に配列してなる櫛歯１３によって構成されている。
【００１６】
この実施の形態の場合、左側櫛歯列５Ｌ及び右側櫛歯列５Ｒの長い歯１１及び短い歯１２は、図２に示すように、前後方向に一列に配設されていると共に、図３に示すように、断面が横方向に偏平でかつ先端に丸みを持った形状を有する。
【００１７】
かくしてユーザが、結合部３を介して把持して液塗布本体部２の基板４を横方向に移動させるような操作をしたとき、櫛歯１３の長い歯１１及び短い歯１２が塗布対象毛を梳くような動作をする。
【００１８】
左及び右側櫛歯列５Ｌ及び５Ｒにおいて、長い歯１１の間隔は、図２（Ａ）に示すように、大きい値Ｄ１をもつのに対して、隣合う長い歯１１と短い歯１２との間隔Ｄ２は、小さい値Ｄ２＝Ｄ１／２となるように選定されている。
【００１９】
これにより液塗布本体部２が横方向に移動操作されたとき、長い歯１１の先端部だけによって塗布対象毛を梳く動作をした場合、長い歯１１の隣合う対向面間の隙間が広いので、比較的多い複数の塗布対象毛（これを多数本の塗布対象毛と呼ぶ）を束にまとめて通すような梳く動作をする。
【００２０】
これに対して、液塗布本体部２の基板４を傾けて長い歯１１及び短い歯１２によって梳く動作をしたときには、長い歯１１及び短い歯１２の隣合う対向面間の隙間が狭いので、比較的少ない、１本又は少数本の塗布対象毛だけを通すような梳く動作をする。
【００２１】
（１−２）動作・効果
以上の構成において、液塗布具１によって液対象毛に対して塗布液を塗布するとき、ユーザは図２（Ｂ）において斜線で示すように、左及び右側櫛歯列５Ｌ及び５Ｒと、基板４の板面とで囲まれる空所に塗布液１５を入れて液塗布本体部２を横方向に移動させることにより、塗布対象毛を櫛歯１３によって梳くような操作をする。
【００２２】
ここで、ユーザが長い歯１１の高さＨ１のうち、短い歯１２の高さＨ２より高い部分を使って塗布操作をしたとき、左及び右側櫛歯列５Ｌ及び５Ｒ間の塗布液１５のうち、その部分の塗布液が、長い歯１１の広い隙間の対向面間を多数本の塗布対象毛を束にまとめて通すように、塗布対象毛を梳く際に、多量に塗布対象毛に一挙に塗布される。
【００２３】
かくして、１回の簡易な塗布操作によって、まとまって長い歯１１間の隙間を通る毛に対して多量の塗布液を一挙に塗布できる。
【００２４】
この多量な塗布液を塗布対象毛に塗布する機能を、「多量塗布域ＡＲ１の機能」と呼ぶ。
【００２５】
これに対して、短い歯１２の高さＨ２までの部分を使って塗布対象毛に塗布操作をしたとき、長い歯１１の根元部分と隣合う短い歯１２との間の狭い隙間の対向面間を、１本又は少数本の塗布対象毛を通すように塗布対象毛を梳く際に、当該隙間の狭さに相当する少量の塗布液が塗布対象毛に塗布される。
【００２６】
実際上、この少量の塗布液の塗布操作は、上述の「多量塗布域の機能」により多量な塗布液を塗布対象毛に塗布した後に、続いて行えば、塗布対象毛の表面層部分に多量な塗布液を塗布した状態において、短い歯１２と長い歯１１の根元部分と短い歯１２との間の狭い隙間によって、１本又は少数本の塗布対象毛に対して、塗布液を少量ずつ、細かく塗布し直すような機能を行う（このような少量塗布機能を「調整塗布域」のＡＲ２の機能と呼ぶ）。
【００２７】
このようにして、多量塗布域ＡＲ１の多量の塗布液をまとめて塗布された多数本の塗布対象毛が、調整塗布域ＡＲ２の櫛歯１３によってその塗布状態を細かく調整でき、その結果、全体として塗布対象毛に対して多量の塗布液を細かい調整を加えながら塗布することができる。
【００２８】
（１−３）長い歯１１と短い歯１２との長さ比率
実験によれば、長い歯１１と短い歯１２との長さ比率の許容範囲は、図４（Ａ）に示すように、長い歯１１の上端から短い歯１２の上端までの距離Ｋ１１は１．０〔ｍｍ〕の差がある状態から、基板４の表面から短い歯１２の上端までの距離Ｋ１２が１．０〔ｍｍ〕になるまでの範囲において、上述の多量塗布域ＡＲ１及び調整塗布域ＡＲ２の機能が得られた。
【００２９】
実施例上、当該許容範囲は、マスカラブラシの場合には図４（Ｂ）に示すように、長い歯１１の高さＫ２１が５．０〔ｍｍ〕のとき、短い歯１２の高さＫ２２が４．０〔ｍｍ〕の場合から、短い歯１２の高さＫ２３が１．０〔ｍｍ〕の範囲において、上述の多量塗布域ＡＲ１及び調整塗布域ＡＲ２の機能を得ることができることを確認できた。
【００３０】
毛染ブラシの場合には、図４（Ｃ）に示すように、長い歯１１の高さＫ３１が２０．０〔ｍｍ〕のとき、短い歯１２の高さＫ３２が１９．０〔ｍｍ〕である場合から、短い歯１２の高さＫ３３が１．０〔ｍｍ〕の場合までの間において、上述の多量塗布域ＡＲ１及び調整塗布域ＡＲ２の機能が得られることを確認できた。
【００３１】
（２）第１の実施の形態の変形例
図５は第１の実施の形態の変形例を示すもので、図２の場合は、左及び右側櫛歯列５Ｌ及び５Ｒにおいて、先端方向に行くに従って長い歯１１及び短い歯１２を１本ずつ交互に配列されているが、図５に示すように、長い歯１１間の短い歯１２の本数を２本（図５（Ａ））、４本（図５（Ｂ））のように増加させても良い。
【００３２】
このようにすれば、長い歯１１間の短い歯１２の本数が多く長くなることにより、ユーザが液塗布本体部２を操作したとき、短い歯１２によって広い範囲で調整塗布域ＡＲ２の機能を実現できる。
【００３３】
またさらに、図５（Ｃ）に示すように、支持台４に設けられた左及び右側櫛歯列５Ｌ及び５Ｒの長い歯１１の本数を３本にしたり、図５（Ｄ）に示すように、根元側端及び先端の２本にしたりすれば、短い歯１２による調整塗布域ＡＲ２による調整操作をさらに拡げることができる。
【００３４】
かくして図５の変形例によれば、塗布対象毛に対する多量塗布域ＡＲ１及び調整塗布域ＡＲ２の操作を行うことにより、簡易な塗布操作によって、多量の塗布液を、簡易に、１本又は少数本の塗布対象毛にまで細かく塗布できるといった効果を得ることができる。
【００３５】
図６は上述の第１の実施の形態の他の変形例を示すもので、図６（Ａ）の場合は、左及び右側櫛歯列５Ｌ及び５Ｒにおいて、高さＨ１の長い歯１１間に設けた高さＨ２の短い歯１２との間に、高さＨ１及びＨ２の中間の高さＨ３を有する２本の中間歯１２Ａを設ける。
【００３６】
これにより、隣合う２本の長い歯１１の間に、前方に行くに従って、頂点の高さが「Ｖ」字形状に変化する中間歯１２Ａ及び短い歯１２を配列するように液塗布本体部２を構成する。
【００３７】
また図６（Ｂ）の場合は、左及び右側櫛歯列５Ｌ及び５Ｒについて、高さＨ１の長い歯１１間に設けた高さＨ２の短い歯１２との間に、高さＨ２より低い中間高さＨ４を有する２本の中間歯１２Ｂを設ける。
【００３８】
これにより、隣合う２本の長い歯１１の間に、前方に行くに従って、頂点の高さが「Ｗ」字形状に変化する中間歯１２Ｂ及び短い歯１２を配列するように液塗布本体部２を構成する。
【００３９】
図６（Ａ）及び（Ｂ）の構成によれば、最も短い歯１２及び中間歯１２Ｂの高さＨ２及びＨ４において、すべての歯によって塗布対象毛に対する塗布液の調整動作をする前に、中間歯１２Ｂ間の隙間（図６（Ａ））、並びに長い歯１１と短い歯１２との間の隙間（図６（Ｂ））の間隔に対応する多量の塗布液を塗布する。
【００４０】
かくして、長い歯１１の間の空所を通る位置によって異なる液量の塗布液を、当該位置を通る塗布対象毛に塗布することができる。
【００４１】
図６（Ｃ）の場合は、左及び右側櫛歯列５Ｌ及び５Ｒにおいて、基板４の先端部に高さＨ１の長い歯１１と高さＨ２の短い歯１２とが設けられている。
【００４２】
長い歯１１は、基板４の先端から根元側に行くに従って基板４の表面に近づく方向に傾斜する仮想直線Ｑ１に沿って高さが順次低くなって行く第２、第３……第Ｎの長い歯１１Ｘ１、１１Ｘ２……１１ＸＮが所定の間隔で設けられており、これにより高さＨ１の先端の長い歯１１から高さＨ１Ｘの根元側の高さ歯１１ＸＮが所定の間隔を保って配列されている。
【００４３】
これに対して短い歯１２は、先端から後端側に行くに従って低くなるように傾斜する仮想直線Ｑ２に沿うように高さが順次低くなって行く第２、第３……第Ｍの短い歯１２Ｙ１、１２Ｙ２……１２ＹＭが配設されている。
【００４４】
この実施の形態の場合短い歯１２Ｙ１、……１２ＹＭは、長い歯１１、１１Ｘ１、１１ＸＮ間に２本ずつ分配するように形成されている。
【００４５】
図６（Ｃ）の構成によれば、長い歯１１、１１Ｘ１……１１ＸＮの間に２本ずつ形成されている短い歯１２Ｘ１、１２Ｙ１……１２ＹＭ−１、１２ＹＭ上に塗布対象毛が通ったとき当該塗布対象毛に対して多量塗布域ＡＲ１の多量塗布動作をする。
【００４６】
この多量塗布域の動作は、長い歯１１及び短い歯１２の傾斜直線Ｋ１及びＫ２に沿って低くなって行くことにより、ユーザは基板４と塗布対象毛との間の間隔を調整する（基板４の長さ方向の歯の使用位置を好みに応じて加減することにより）、塗布対象毛に対する多量塗布域ＡＲ１の動作と調整塗布域ＡＲ２の動作とを加減することができる。
【００４７】
かくして図６（Ｃ）の構成によれば、ユーザの操作の仕方に任せた液塗布機能を実現できる。
【００４８】
図６（Ｄ）の場合は、長い歯１１及び短い歯１２が前後方向に「く」の字状に折れ曲がった形状を有する。
【００４９】
図６（Ｄ）の構成によれば、ユーザが基板４を横方向に移動させながら液塗布対象毛を梳く動作をするとき、ユーザはこれと同時に基板４の位置を前後方向に動かすようにすることにより、長い歯１１間の塗布液及び長い歯１１及び短い歯１２間の狭い間隔に液塗布対象毛を通すように操作をする必要がある。
【００５０】
この結果、ユーザは塗布対象毛に対して一段と丁寧な操作をしながら多量塗布域ＡＲ１及び調整塗布域ＡＲ２による塗布操作をユーザの間隔に合うように行わせることができる。
【００５１】
図６（Ｅ）の場合は、長い歯１１及び短い歯１２は前方になだらかに湾曲すると共に、その先端に球場の引玉２０を設けた構成を有する。
【００５２】
かくして図６（Ｅ）の構成によれば、ユーザは基板４を横方向に移動させて塗布対象毛を梳くような操作をするとき、引玉２０と塗布対象毛との干渉による抵抗を受けながら塗布対象毛を長い歯１１の間又は長い歯１１及び短い歯１２間の間を通すことにより多量塗布域ＡＲ１及び調整塗布域ＡＲ２による塗布操作をする。
【００５３】
この分、ユーザは塗布対象毛に対して丁寧な操作をすることになり、これにより一段とユーザの好みに適合した液塗布操作をすることができる。
【００５４】
（３）実施例
（３−１）ヘアブラシ
図７は、第１の実施の形態の液塗布具１をヘアブラシに適用した実施例を示す。
【００５５】
ここで液塗布具１を構成するヘアブラシは、頭髪を塗布液対象毛として、整髪用液をユーザの塗布操作によって塗布しようとするもので、ヘアブラシでなる液塗布具１は、図１との対応部分に同一符号を付して示すように、基板４の両側縁に配設された左及び右側櫛歯列５Ｌ及び５Ｒを構成する長い歯１１及び短い歯１２を順次交互に配列してなる液塗布本体部２を有する。
【００５６】
この実施例の場合、液塗布具１はヘアブラシとして、ユーザが結合部３を介して接続された柄２１を手のひらで握って液塗布本体部２の基板４を横方向に移動操作することにより塗布対象毛である櫛歯１３によって梳くような操作をする。
【００５７】
このような梳く操作をする前に、図８に示すように、整髪用液２３を液タンク２４から左及び右側櫛歯列５Ｌ及び５Ｒ間に供給する。
【００５８】
かくして整髪用液２３は基板４上の左及び右側櫛歯列５Ｌ及び５Ｒ間の空所に溜まっており、この整髪用液２３のうち、短い歯１２より高くかつ長い歯１１によって囲まれた部分が、隣合う長い歯１１の間を塗布対象毛が束になって通る際に多量に塗布される。
【００５９】
かくしてユーザが櫛歯１３の機能のうち多量塗布域ＡＲ１（図２（Ｂ））の機能によって塗布対象毛に多量の整髪用液２３を塗布できる。
【００６０】
この状態において、ユーザが基板４を横方向に傾けながら髪を梳く操作をすると、櫛歯１３の順次隣接する長い歯１１及び短い歯１２間の狭い隙間を少ない本数（１本又は少数本）の髪が通ることにより、当該短い歯１２の高さに残っている整髪用液２３が当該少ない毛に１本ずつ細く塗布される。
【００６１】
かくしてユーザは、短い歯１２及び長い歯１１の根元部分の狭い隙間を利用して髪毛を１本ずつ分離させるように梳くような調整をしながら、多量塗布域ＡＲ１の機能によって多量に塗布された整髪用液２３を１本１本の髪に塗布することにより、櫛歯１３の調整塗布域ＡＲ２（図２（Ｂ））の機能を行う。
【００６２】
かくして図７のヘアブラシとしての液塗布具１は、多量塗布域ＡＲ１及び調整塗布域ＡＲ２の機能によって整髪用液２３を多量に塗布しながら、かつ細かく調整しながら、塗布対象毛に細かい塗布をすることができる。
【００６３】
（３−２）マスカラブラシ
図９は、液塗布具１をマスカラブラシに適用した場合の実施例を示し、図１との対応部分に同一符号を付して示すように、液塗布本体部２を構成する左及び右側櫛歯列５Ｌ及び５Ｒと基板４との間の空所に塗布液としてのマスカラ液を保持させる。
【００６４】
この場合、基板４から後方に続く結合部３としてシャフトが用いられ、シャフトの後端部がキャップ部材３１に固着されている。
【００６５】
この液塗布具１はキャップ部材３１の先端部に設けられたねじ部３２を円筒形状のマスカラ液保持容器の取出口部の周囲に形成されているねじ部にねじ込むことにより液塗布本体部２をマスカラ液に浸しておき、ユーザがマスカラ液をまつ毛に塗布する際に、キャップ部材３１を指で摘んで液塗布本体部２をマスカラ液容器から引き出すことにより、左及び右側櫛歯列５Ｌ及び５Ｒ間にマスカラ液を保持した状態を得る。
【００６６】
かくしてユーザが塗布対象毛であるまつ毛に対して基板４を横方向に移動操作すれば、保持されているマスカラ液のうち、長い歯１１がまつ毛を梳くような動作をすることにより、長い歯１１間にあるマスカラ液が多量塗布域ＡＲ１（図２（Ｂ））の機能により多量に塗布される。
【００６７】
このように多量に塗布された状態において、短い歯１２及び長い歯１１間の狭い隙間を利用して調整塗布域ＡＲ２（図２（Ｂ））の動作をさせれば、まつ毛に塗布された多量のマスカラ液が、当該短い歯１２及び長い歯１１間の狭い隙間によってまつ毛を１本ずつ細かく梳くような動作をすることにより、多量に塗布されたマスカラ液がまつ毛に適量だけ塗布される状態に調整される。
【００６８】
かくして図９の液塗布具１によれば、塗布対象毛であるまつ毛にマスカラ液を適度に細かい調整を加えながらボリューム塗りすることができる。
【００６９】
図１０は、図９の他の実施例を示すもので、この場合図１０（Ｂ）及び（Ｃ）に示すように、左及び右側櫛歯列５Ｌ及び５Ｒ間の横方向の中央位置における基板４上に、前後方向に延長する山型の中間骨部材３４（図１０（Ｂ））又は板型の中間骨部材３５（図１０（Ｃ））を設ける。
【００７０】
中間骨部材３４及び３５の基板４からの高さは、短い歯１２の頂部から長い歯１１の頂部までの多量塗布域ＡＲ１の範囲に選定されている。
【００７１】
図１０の構成において、当該マスカラブラシとしての液塗布具をユーザが使用する場合、塗布対象毛であるまつ毛を中間骨部材３４又は３５の先端に当てた状態で基板４を移動操作する。
【００７２】
このとき、ユーザが基板４を傾けることにより、図１１（Ａ）に示すように、まつ毛３６を短い歯１２より高い位置、すなわち長い歯１１の間を通るように塗布操作をすれば、まつ毛３６は長い歯１１の多量塗布域ＡＲ１の機能によって長い歯１１の広い間隔を利用してマスカラ液３３を多量に塗布することができる。
【００７３】
これに対して、図１１（Ｂ）に示すように、基板４を傾けることにより、まつ毛３６を短い歯１２の間を通すような塗布操作をすれば、当該短い歯１２と長い歯１１との間の狭い隙間にまつ毛３６を通すことによる調整塗布域ＡＲ２の機能によってマスカラ液３３の塗布量を細かく調整することができる。
【００７４】
かくしてユーザは基板４、従って液塗布具１であるマスカラブラシを適宜に回転操作させることにより、多量塗布域ＡＲ１の機能から調整塗布域ＡＲ２の機能に、適宜に切り換えながら、マスカラ液を、まつ毛３６の１本１本に対して、意図するように、適正にボリューム塗りすることができる。
【００７５】
（３−３）毛染ブラシ
図１２は液塗布具１を毛染ブラシに適用した実施例を示し、図１との対応部分に同一符号を付して示すように、基板４に連続している結合部３がユーザが毛染操作のために手のひらで把持する柄４１に結合されている。
【００７６】
この毛染ブラシとしての液塗布具１の左及び右側櫛歯列５Ｌ及び５Ｒ間の基板４上には、毛染液タンク４２から毛染用液４３が供給され、ユーザは当該毛染用液４３を塗布対象毛である頭髪に塗布するものである。
【００７７】
左及び右側櫛歯列５Ｌ及び５Ｒ間を通った頭髪には、長い歯１１間の長い間隔にある毛染用液４３が、長い歯１１の多量塗布域ＡＲ１（図２（Ｂ））の機能によって大量に塗布される。
【００７８】
この状態において、ユーザが、基板４を傾けることにより、頭髪を短い歯１２及び長い歯１１間の狭い隙間を通すような塗布操作をすると、その調整塗布域ＡＲ２（図２（Ｂ））の機能によって頭髪に多量に塗布された毛染用液４３が、１本又は少数本の頭髪に、細かく分離しながら少量ずつ塗布し直されることにより、毛染用液４３が均一の濃さで塗布された状態に調整される。
【００７９】
かかる塗布操作をするにつき、毛染ブラシとしての液塗布具１の多量塗布域ＡＲ１の機能と、調整塗布域ＡＲ２の機能とを、ユーザが選択しながら利用することにより、簡易な操作で適切な毛染をすることができる。
【００８０】
図１３は図１２の他の実施例を示すもので、図１３との対応部分に同一符号を付して示すように、左及び右側櫛歯列５Ｌ及び５Ｒの幅方向の中心位置における基板４上に分割壁部４４が設けられ、これにより分割壁部４４と、左及び右側櫛歯列５Ｌ及び５Ｒとの間に、それぞれ毛染用液保有空所４５Ｌ及び４５Ｒが形成されている。
【００８１】
図１３の構成によれば、液塗布本体部２の左及び右側櫛歯列５Ｌ及び５Ｒ間に毛染液タンク４２（図１２）から毛染用液４３の供給を受けたとき、当該供給された毛染用液４３を毛染用液保有空所４５Ｌ及び４５Ｒに確実に保持できる。
【００８２】
かくしてユーザが基板４を操作して、液塗布対象である頭髪に左及び右側櫛歯列５Ｌ及び５Ｒ間にある毛染用液４３を塗布する場合に、毛染用液保有空所４５Ｌ及び４５Ｒと隣接する長い歯１１は短い歯１２とによる多量塗布域ＡＲ１及び調整塗布域ＡＲ２の機能によって確実に多量塗布及び少量塗布を行うことができる。
【００８３】
図１４は図１３のさらに他の実施例を示すもので、図１２及び図１３との対応部分に同一符号を付して示すように、左及び右側櫛歯列５Ｌ及び５Ｒ間に分割壁部４４が設けられている液塗布本体部２の基板４が結合部３を介して、毛染液タンク５１から導出された連結管部５２に接続されている。
【００８４】
かくして毛染液タンク５１から連結管部５２に導出された毛染用液は、基板４内に設けられた毛染液供給通路５３を通って分割壁部４４の毛染用液保有空所４５Ｌ及び４５Ｒに連通する供給開口５４を通じて毛染用液保有空所４５Ｌ及び４５Ｒに放出するようになされている。
【００８５】
図１４の構成において、毛染液タンク５１はそれ自体可撓性をもった円筒容器で構成されており、ユーザが被塗布対象毛である頭髪に毛染用液を塗布しようとする場合、手のひらで毛染液タンク５１に圧力を加えることにより、保有している連結管部５２、毛染液供給通路５３及び供給開口５４を介して毛染用液保有空所４５Ｌ及び４５Ｒに毛染用液を供給する。
【００８６】
かくしてユーザは頭髪に毛染用液を塗布する際に、直接に毛染用液に触れることなく左及び右側櫛歯列５Ｌ及び５Ｒの長い歯１１及び短い歯１２間に毛染用液を供給することができ、かくして一段と簡易な毛染操作を行うことができる。
【００８７】
図１５はさらに他の実施例を示すもので、この場合、図１４との対応部分に同一符号を付して示すように、図１４の場合は液塗布本体部２を全体として横型に構成し、ユーザは当該横型の液塗布本体部２に縦方向（前後方向）に結合部３を介して結合された毛染液タンク５１を手のひらで握って毛染用液の塗布操作をするように構成されているのに対して、図１５の場合は、基板４に対する結合部３が基板に対して上下方向の下方位置において結合対象に結合するように下方に導出されている。
【００８８】
かくして結合部３は縦方向に下方に設けられている毛染液タンク５１から上方に導出された連結管部５２を縦方向に結合する。
【００８９】
図１５の構成によれば、ユーザは基板４を横方向に毛染操作する際に、毛染液タンク５１を縦方向に立てるように手のひらで把持して、毛染液タンク５１に圧力を加えることにより、毛染液供給通路５３を通じて左及び右側櫛歯列５Ｌ及び５Ｒ間の毛染用液保有空所４５Ｌ及び４５Ｒに毛染用液を供給しながら、毛染操作をすることができる。
【００９０】
かくして一段と多様な毛染操作を行うことができるような液塗布具を実現し得る。
【００９１】
（４）第２の実施の形態
図１６〜図１９は、第２の実施の形態を示すものである。
【００９２】
上述の第１の実施の形態においては、図１及び図２について上述したように、左及び右側櫛歯列５Ｌ及び５Ｒを長い歯１１及び短い歯１２でなる櫛歯１３を用いて、塗布液１５を長い歯１１の広い間隔を利用した多量塗布域ＡＲ１の機能によって多量の塗布液を塗布すると共に、当該多量な塗布液が塗布された塗布対象毛に対して短い歯１２及び長い歯１１の根元部分の狭い隙間を利用して少量の塗布液を塗布するようにして、調整塗布域ＡＲ２の機能を実現している。
【００９３】
これによりユーザは、多量塗布域ＡＲ１の機能と、調整塗布域ＡＲ２の機能とを適宜組み合わせて液塗布本体部２の基板４を操作することにより、塗布対象毛に対する塗布液の適正な塗布を実現できる。
【００９４】
図１６〜図１９の第２の実施の形態においては、当該２つの機能をユーザが簡単に確認しながら塗布切換操作を行うことができるようにしたものである。
【００９５】
図１６は第２の実施の形態の第１の実施例を示すもので、図２及び図３との対応部分に同一符号を付して示すように、左及び右側櫛歯列５Ｌ及び５Ｒの長い歯１１の外側面における短い歯１２の高さＨ２に対応する位置に外方に、断面半円形状に、前後方向に延長しながら棒状に、突出する機能表示子６１が設けられている。
【００９６】
これにより左及び右側櫛歯列５Ｌ及び５Ｒを外側から見たとき、短い歯１２の頂点に相当する位置において前後方向に延長する機能境界線ＬＸ１上に機能表示子６１が配列していることを、当該液塗布本体部２を操作しているユーザが目視確認することができる。
【００９７】
図１６の構成において、ユーザが液塗布本体部２によって塗布対象毛に塗布操作を行っているとき、機能表示子６１が塗布対象毛に隠れているように見える場合、塗布対象毛は長い歯１１の間を通りながら多量塗布域ＡＲ１の機能によって塗布液を多量に塗布されていることを表している。
【００９８】
これに対して、左及び右側櫛歯列５Ｌ及び５Ｒの機能表示子６１が塗布対象毛より上方に浮いてみえるときには、塗布対象毛は短い歯１２及び長い歯１１の狭い隙間を通ることにより、調整塗布域ＡＲ２の機能によって塗布対象毛が細かく塗布量の調整を受けている状態にあることを示している。
【００９９】
図１６の構成によれば、短い歯１２の頂部に相当する高さの機能境界線ＬＸ１に沿って前後方向に配列する機能表示子６１を左及び右側櫛歯列の長い歯１１の外側に設けるようにしたことにより、ユーザが当該機能表示子６１を見ながら、液塗布本体部２を多量塗布域ＡＲ１の機能によって多量の塗布液を塗布している状態にあること、又は調整塗布域ＡＲ２の機能によって少量の塗布液を塗布している状態にあることを、確認しながら塗布対象毛に対する塗布操作をすることができ、その結果ユーザが、液塗布本体部２を多量に塗布する多量塗布域ＡＲ１の塗布動作から、少量に塗布する調整塗布域ＡＲ２に切換わった状態を簡易に見分けることができることにより、意図している適正な塗布操作をすることができる。
【０１００】
図１７は第２の実施の形態の第２の実施例を示すもので、図１６との対応部分に同一符号を付して示す。
【０１０１】
この場合、左及び右側櫛歯列５Ｌ及び５Ｒの短い歯１２の横方向の幅Ｗ１は、長い歯１１の幅Ｗ２より大きい値に選定されていると共に、長い歯１１の短い歯１２と対向する部分の横幅は、短い歯の横幅Ｗ１と一致するように幅広になっている。
【０１０２】
この長い歯１１の根元の幅広の部分は、短い歯２の頂部に相当する位置を通る機能境界線ＬＸ２の下側に選定されている。
【０１０３】
図１７の構成において、左及び右側櫛歯列５Ｌ及び５Ｒを外側から見たとき、短い歯１２の頂点に相当する位置に、前後方向に、多量塗布域ＡＲ１の機能及び調整塗布域ＡＲ２の機能動作の境界を表す機能境界線ＬＸ２が、長い歯１１の横幅Ｗ２の広さから、短い歯１２の横幅Ｗ１及び長い歯１１の同じ横幅の幅広部分１１Ｂが外側に突出した構成を表わすようになっている。
【０１０４】
従って、ユーザが当該幅広の短い歯１２及び長い歯の幅広部分１１Ｂの機能境界線ＬＸ２が塗布対象毛から見えない状態で塗布対象毛に対する塗布操作をしているとき、ユーザは、液塗布本体部２を多量塗布域ＡＲ１の機能によって多量の塗布液を塗布している状態にあることが分かる。
【０１０５】
これに対して、左及び右側櫛歯列５Ｌ及び５Ｒにおいて、機能境界線ＬＸ２が見える状態で塗布操作をしているとき、ユーザは、液塗布本体部２が調整塗布域ＡＲ２の機能によって液塗布対象毛に対して少量の塗布液を塗布している状態にあることが分かる。
【０１０６】
図１７の構成によれば、液塗布本体部２が多量塗布域ＡＲ１の機能を行っているか、又は調整塗布域ＡＲ２の機能を行っているかを、機能境界線ＬＸ２をユーザが見えるか否かによって判断することができる。
【０１０７】
しかもこのとき、液塗布本体部２は調整塗布域ＡＲ２の機能によって、少量の塗布液を塗布している状態において、機能表示子６２を構成している短い歯１２及び長い歯１１の幅広部分１１Ｂが横方向に幅広になっていることにより、短い歯１２及び幅広部分１１Ｂ間の狭い隙間を広い横幅を塗布対象毛が通っている状態になっている。
【０１０８】
このことは当該幅広の部分が、左及び右側櫛歯列５Ｌ及び５Ｒにおいて横方向に外方に突出した形状部分として目視できる状態にあることを意味し、これによりユーザは当該突出した形状部分が見えるか否かによって、液塗布本体部２が、塗布対象毛に対して多量の塗布液を塗布する多量塗布域ＡＲ１の機能によって塗布している状態から、少量の塗布液を塗布する調整塗布域ＡＲ２の機能によって塗布している状態に切換ったか否かを明確に目視確認できる。このとき長い歯１１の幅広部分１１Ｂ１と短い歯１２とが外方に突出した形状になっていることによって塗布対象毛を１本１本梳き分け易い状態になっている。
【０１０９】
かくして図１７の構成によれば、塗布対象毛に多量に塗布されていた塗布液を確実に適正に塗布状態の調整を行うことができる。
【０１１０】
図１８は第２の実施の形態の第３の実施例を示すもので、図１６との対応部分に同一符号を付して示す。
【０１１１】
この場合、左及び右側櫛歯列５Ｌ及び５Ｒの長い歯１１は、先側部分１１Ａ２の多量塗布域ＡＲ１から下側部分１１Ｂ２の調整塗布域ＡＲ２に移る機能境界線ＬＸ３までの間、横方向の幅が外側に向かって幅広に広くなった後、機能境界線ＬＸ３を通って基板４に行くに従って横幅が狭くなって行くような断面形状を有する。
【０１１２】
これに対して左及び右側櫛歯列の短い歯１２は、機能境界線ＬＸ３から基板４に行くに従って横幅が長い歯の下部部分１１Ｂ２の横幅と同じ値になっている。
【０１１３】
かくして左及び右側櫛歯列５Ｌ及び５Ｒは、多量塗布域ＡＲ１の機能をもつ長い歯１１の上側部分１１Ａ２が外側に膨出し、当該膨出部の下端が機能境界線ＬＸ３を通り、その後下側部分１１Ｂ２が幅狭になることにより、機能境界線ＬＸ３の位置で外側に突出する機能表示子６３を形成している。
【０１１４】
図１８の構成において、ユーザが塗布対象毛に対して塗布操作をしているときに、長い歯１１の上側部分１１Ａのみが見えるとき、ユーザは長い歯１１の大きい間隔による多量塗布域ＡＲ１の機能によって多量な塗布液を塗布対象毛に塗布していることを確認できる。
【０１１５】
これに対して、機能表示子６３の傾斜が加わって幅狭になって行くような短い歯１２及び長い歯１１の下側部分１１Ｂ２が見えるとき、調整塗布域ＡＲ２の機能によって少量の塗布液を塗布対象毛に塗布している状態を確認できる。
【０１１６】
このようにして図１８の構成によれば、ユーザは機能表示子６３を目視することにより、液塗布本体部２が多量塗布域の機能を行っているか、又は調整塗布域ＡＲ２の機能を行っているかを、簡易に判断できることにより、意図した塗布量の塗布域を適正に塗布することができる。
【０１１７】
かくするにつき、機能表示子６３を形成している長い歯１１及び短い歯１２が機能境界線ＬＸ３の位置まで外側に幅広に膨出していることにより、長い歯１１の上側部分１１Ａ２間の間隔を通る塗布対象毛に対する横幅が比較的広い対向面によって塗布動作ができることにより、安定に多量の塗布液を塗布することができる。
【０１１８】
これに加えて、短い歯１２と長い歯１１の下側部分１１Ｂ２との狭い隙間を塗布対象毛が通るときにも、機能表示子６３を形成するために幅広に構成されているので、塗布対象毛を容易に１本１本梳き分けて少量の塗布液を塗布する調整塗布域ＡＲ２の機能を行うことができる。
【０１１９】
図１９は第２の実施の形態の第４の実施例を示す。
【０１２０】
この場合の液塗布本体部２は、図１６との対応部分に同一符号を付して示すように、長い歯１１の大きい間隔に基づく多量塗布域ＡＲ１の機能と、短い歯１２と隣接する長い歯１１との狭い隙間による調整塗布域ＡＲ２との機能境界線ＬＸ４が、左及び右側櫛歯列５Ｌ及び５Ｒの長い歯１１及び短い歯１２から外側に幅広に膨出する機能表示子６４によって外側から見分けられるようになされている。
【０１２１】
これに加えて図１９の場合は、長い歯１１及び短い歯１２の下端部１１Ｘ及び１２Ｘは、内側に折れ曲がって基板４の側面に連結している。
【０１２２】
かくして図１９の場合の左及び右側櫛歯列５Ｌ及び５Ｒは、基板４の側面から外側に突出した位置に、長い歯１１及び短い歯１２による櫛歯１３を形成している。
【０１２３】
図１９の構成において、ユーザが塗布対象毛に対して液塗布本体部２を塗布操作したとき、機能表示子６４が塗布対象毛から見えないときは、左及び右側櫛歯列５Ｌ及び５Ｒの長い歯１１の長い間隔によって多量塗布域ＡＲ１の機能によって多量の塗布液を塗布している状態になっている。
【０１２４】
これに対して、機能表示子６４が目視確認できる状態になると、塗布対象毛は短い歯１２と隣接する長い歯１１との間の狭い隙間によって調整塗布域ＡＲ２の機能を実行する状態に切換っていることを確認できる。
【０１２５】
このような図１９の構成は、調整塗布域ＡＲ２の機能を実行しているとき、塗布対象毛は短い歯１２及び長い歯１１の外側に幅広になるように膨出している機能表示子６４の狭い隙間を塗布対象毛が通る状態になっているので、当該広い歯の部分によって安定に多量塗布域ＡＲ１によって塗布された多量の塗布液を、少量塗布するように調整されると共に、外方に突出した部分によって塗布対象毛を１本１本梳き分け易いという効果を得ることができる。
【０１２６】
（５）第３の実施の形態
図２０は第３の実施の形態の第１の実施例を示すものである。
【０１２７】
図２０（Ａ）、（Ｂ）、（Ｃ）、（Ｄ）及び（Ｅ）は、それぞれ図２、図１６、図１７、図１８及び図１９の液塗布本体部２において、左及び右側櫛歯列５Ｌ及び５Ｒ間の中間位置に、基板４の延長方向に沿うように中間櫛歯列７１を設ける。
【０１２８】
この中間櫛歯列７１は、図２の左及び右側櫛歯列５Ｌ及び５Ｒと同様に、長い歯１１を長い間隔をもつように基板４の縦方向に配列すると共に、当該長い歯１１の中間位置に短い歯１２を配設した左及び右側櫛歯列の中間位置に配設された構成を有する。
【０１２９】
図２０の構成によれば、ユーザが塗布対象毛を長い歯１１の間の広い間隔を通す状態においてユーザが液塗布本体部２を多量塗布域ＡＲ１の機能によって多量の塗布液を塗布する動作と、短い歯１２と長い歯１１の低い部分との間に塗布対象毛を通した状態において塗布対象毛に比較的少ない塗布量の塗布液を塗布する動作の際に、左及び右側櫛歯列５Ｌ及び５Ｒの中間位置に同じような構成を有する中間櫛歯列７１が設けられていることにより、液塗布本体部２の多量塗布域ＡＲ１の機能と、調整塗布域ＡＲ２の機能とを同じように行うことができることにより、当該２つの機能の動作を安定になし得ると共に、中間櫛歯列７１の各歯によって塗布液に生ずる表面張力によって、塗布液を、左及び右側櫛歯列５Ｌ及び５Ｒ間に確実に保持できるような液塗布本体部２を得ることができる。
【０１３０】
図２１は、第３の実施の形態の第２の実施例を示すもので、この場合も図２０について上述したと同様に、図２、図１６、図１７、図１８及び図１９の液塗布本体部２に対して、分割壁部７２を設けた構成を有する。
【０１３１】
この分割壁部７２は、基板４上における左及び右側櫛歯列５Ｌ及び５Ｒ間の横方向の中間位置において、左及び右側櫛歯列５Ｌ及び５Ｒと対向するような前後方向の長さを有すると共に、短い歯１２の頂点と、長い歯１１の頂点との間の高さを有する。
【０１３２】
図２１の構成によれば、ユーザは図２２（Ａ）に示すように、分割壁部７２の頂点を基準にして、塗布対象毛７３を、当該分割壁部７２に当接させる程度の高さであってかつ短い歯１２の頂点より高い位置を通すような状態で、液塗布本体部２を塗布操作する。
【０１３３】
このとき塗布対象毛７３は、液塗布本体部２の左及び右側櫛歯列５Ｌ及び５Ｒの長い歯１１の間の広い間隔を通る状態になり、これにより多量の塗布液７４を塗布される。
【０１３４】
これに対して、ユーザが、図２２（Ｂ）に示すように、塗布対象毛７３を分割壁部７２の頂点に当接させた状態において、短い歯１２と長い歯１１との間の狭い隙間に塗布対象毛７３を通すように基板４を操作すれば、塗布対象毛７３に対して少量の塗布液を塗布する状態になる。
【０１３５】
図２１の構成によれば、左及び右側櫛歯列５Ｌ及び５Ｒによる塗布対象毛７３に対する塗布動作を、分割壁部７２の頂点を基準にして多量に塗布できる多量塗布域ＡＲ１による塗布動作と、少量の塗布液によって塗布対象毛７３に対する塗布状態を調整できる調整塗布域ＡＲ２への塗布状態の切換えを容易になし得る。
【０１３６】
この結果ユーザは塗布対象毛に対する塗布量の選択を確実になし得る液塗布本体部２を得ることができる。
【０１３７】
これに加えて図２１（Ｂ）〜（Ｅ）に示すように、機能表示子６１〜６４を有するような液塗布本体部２については、かかる２つの機能の切換えを当該機能表示子６１〜６４を見ながら確実に行うことができる。
【０１３８】
（６）第４の実施の形態
図２３は第４の実施の形態を示すものである。
【０１３９】
この場合、図２との対応部分に同一符号を付して示すように、左及び右側櫛歯列５Ｌ及び５Ｒの長い歯１１の幅方向の間に、長い歯１１の高さＨ１より低くかつ短い歯１２の高さＨ２より高い２種類の中間高さの歯、すなわち第１中間高さの歯８１Ｌ１及び８１Ｒ１と、第２中間高さの歯８１Ｌ２及び８１Ｒ２とが設けられている。
【０１４０】
これにより、長い歯１１の長い間隔において行われる多量塗布域ＡＲ１の機能について、第１中間高さの歯８１Ｌ１及び８１Ｒ１の先端より高い空所に保持されている塗布液は、当該第１中間高さの歯８１Ｌ１及び８１Ｒ１より高い部分を通過する塗布対象毛に対して最も多量の塗布液を塗布する。
【０１４１】
これに対して、第１中間高さの歯８１Ｌ１及び８１Ｒ１の頂点と第２中間高さの歯８１Ｌ２及び８１Ｒ２の頂点との間を通る塗布対象毛に対しては、第１中間高さの歯８１Ｌ１及び８１Ｒ１間の狭い間隔に相当する多量の塗布液が塗布される。
【０１４２】
さらに、第２中間高さの歯８１Ｌ２及び８１Ｒ２の頂点と短い歯１２の頂点との間に保持されている塗布液について、当該第２中間高さの歯８１Ｌ２及び８１Ｒ２との間のさらに狭い間隔に相当する塗布液を塗布することができる。
【０１４３】
図２３の構成によれば、長い歯１１が多量塗布域ＡＲ１の多量塗布機能を行う際に、これを第１中間高さの歯８１Ｌ１及び８１Ｒ１と第２中間高さの歯８１Ｌ２及び８１Ｒ２によって３分割することにより、３種類の多量塗布域ＡＲ１１、ＡＲ１２及びＡＲ１３に分割した３つの作用を実現することができる。
【０１４４】
図２３の構成において、ユーザが液塗布本体部２によって、多量塗布域ＡＲ１のうち、長い歯１１の頂点と、第１中間高さの歯８１Ｌ１及び８１Ｒ１の頂点の間に塗布対象毛を通したとき、最大量の塗布液を塗布対象毛に塗布することができる。
【０１４５】
またユーザが液塗布本体部２を操作することにより、第１中間高さの歯８１Ｌ１及び８１Ｒ１の頂点と第２中間高さの歯８１Ｌ２及び８１Ｒ２の頂点間に塗布対象毛を通すような操作をすれば、最大塗布量より少し少ない塗布量の塗布液を被塗布対象毛に塗布することができる。
【０１４６】
さらに、ユーザが液塗布本体部２を、塗布対象毛に対して、第２中間高さの歯８１Ｌ２及び８１Ｒ２の頂点と、短い歯１２の頂点との間に塗布対象毛を通すような操作をすれば、少し少ない量ではあるが多量の塗布液を塗布できるような塗布操作をすることができる。
【０１４７】
図２３の構成によれば、液塗布本体部２によって多量の塗布液を塗布するような操作をするにつき、塗布対象毛に対する液塗布本体部２の押付強さを適宜に調整することにより、ユーザが意図した多量の塗布液を塗布できる液塗布本体部２を実現できる。
【０１４８】
（７）第５の実施の形態
図２４は第５の実施の形態を示すもので、図２との対応部分に同一符号を付して示すように、左及び右側櫛歯列５Ｌ及び５Ｒ間に、塗布液１５を保持するための液保持部材８５Ａ及び８５Ｂを設けた。
【０１４９】
図２４（Ａ）の液保持部材８５Ａは、基板４の幅方向の中心ライン上に左及び右側櫛歯列５Ｌ及び５Ｒと対向するように連続して設けられた細長のハケブラシを配設した構成を有する。
【０１５０】
また図２４（Ｂ）の液保持部材８５Ｂは、基板４の中心線に沿って左及び右側櫛歯列５Ｌ及び５Ｒと対向して前後方向に延長するように配設された捻じりブラシによって構成されている。
【０１５１】
この捻じりブラシは合成樹脂材料の毛材を捻じり合わされた２本の芯材間に挟着保持した構成を有する。
【０１５２】
これらの液保持部材８５Ａ及び８５Ｂは毛の部分に残った液が表面張力によって保持される。
【０１５３】
図２４の構成によれば、液保持部材８５Ａ及び８５Ｂによって左及び右側櫛歯列５Ｌ及び５Ｒ間の塗布液１５を外部に垂れ落すようなおそれを有効に回避できる液塗布本体部２を実現し得る。
【０１５４】
（８）第６の実施の形態
図２５は第６の実施の形態を示すもので、左及び右側櫛歯列５Ｌ及び５Ｒ間に塗布液１５を外部から供給する供給通路を設けたものである。
【０１５５】
図２５（Ａ）の場合、図２１（Ａ）との対応部分に同一符号を付して示すように、基板４の中心線に沿って前後方向に延長する分割壁部７２を有する液塗布本体部２に対して、基板４を貫通するように設けられた液供給管路９１から分割壁部７２の通路９１Ａによって先端部に設けられた放出口９１Ｂから塗布液１５を放出させる。
【０１５６】
図２５（Ａ）の構成の液塗布本体部２に対して、その手元側に結合された塗布液タンク（図示せず）から塗布液を供給することにより、ユーザは手に塗布液を付着させることなく左及び右側櫛歯列５Ｌ及び５Ｒ間に塗布液１５を供給することができる。
【０１５７】
図２５（Ｂ）は、第２の実施例で、図２について上述した液塗布本体部２について、その基板４を貫通するように液供給管路９２を設け、基板４の左及び右側櫛歯列５Ｌ及び５Ｒ間に設けられた放出口９２Ａを通って塗布液１５を供給する。
【０１５８】
図２５（Ｃ）の場合は、図２１（Ａ）について上述したと同様に分割壁部７２を有すると共に、左右に仕切られた空所に対して、基板４を貫通する液供給管路９３の放出口９３Ｌ及び９３Ｒを通って塗布液１５を供給する。
【０１５９】
図２５（Ｃ）の構成によれば、液供給管路９３を介して外部から供給される塗布液１５を、分割壁部７２によって仕切られた液保持空所に順序配列するように設けられた中間高さの歯９４Ｌ及び９４Ｒの間隔に過不足なく供給することができる。
【０１６０】
図２５（Ｄ）の第４の実施例の場合は、図２４（Ａ）について上述した液保持部材８５Ａを有する場合で、この場合は基板４の厚みを貫通するように設けられた液供給口９６Ｌ及び９６Ｒを通って液保持部材８５Ａの周囲に塗布液を供給する。
【０１６１】
同様に図２５（Ｅ）の第５の実施例の場合は、図２４（Ｂ）について上述したように液保持部材８５Ｂを有する液塗布本体部２について、塗布液１５を基板４の厚みを貫通して設けられた液供給口９６を通じて液保持部材８５Ｂの周囲に供給される。
【０１６２】
図２５（Ｄ）及び（Ｅ）の構成によれば、ユーザが手を汚すことなく塗布液１５を左及び右側櫛歯列５Ｌ及び５Ｒの間の空所に供給することができる。
【０１６３】
（９）他の実施の形態
（９−１）上述の実施の形態においては、本発明をヘアブラシ、マスカラブラシ及び毛染ブラシに適用した場合について述べたが、本発明はこれに限らず、要するに、櫛型のブラシによって液塗布対象毛に対して塗布液を塗布する場合に広く適用できる。
【０１６４】
（９−２）上述の実施の形態における左及び右側櫛歯列５Ｌ及び５Ｒにおいては、図２６（Ａ）に示すように、長方形状の基板４の左及び右縁に直線的に長い歯１１及び短い歯１２を交互に配列することにより、長い歯１１と短い歯１２とが互いに平行に並ぶように構成されている。
【０１６５】
しかしながらこの左及び右側櫛歯列５Ｌ及び５Ｒの相互の配列関係は、図２６（Ａ）のように互いに平行であるばかりでなく、図２６（Ｂ）、（Ｄ）及び（Ｅ）に示すように、基板４の形状が台形形状、菱形形状及び湾曲形状である場合には、当該基板４の縁部の形状に沿って、台形配列、矩形配列及び湾曲配列になっても良い。
【０１６６】
さらには、図２６（Ｃ）に示すように、左及び右側櫛歯列５Ｌ及び５Ｒの長い歯１１及び短い歯１２の配列が基板４の側縁の延長方向に見て交互に外側又は内側に出入りするように配列させても良い。
【０１６７】
要するに、左及び右側櫛歯列５Ｌ及び５Ｒを構成する長い歯１１及び短い歯１２は、相互に対向するように配置されていれば良く、かくして当該対向している長い歯１１間の空所に多量塗布域ＡＲ１の多量の塗布を行う機能を実現できるのに対して、互いに対向する短い歯１２間の空所によって少量の塗布を行う調整塗布域ＡＲ２の機能を実現できる。
【０１６８】
（９−３）図２７はさらに他の実施の形態として、左及び右側櫛歯列５Ｌ及び５Ｒの先端部の構成の変形例を示す。
【０１６９】
図１について上述した実施の形態においては、左及び右側櫛歯列５Ｌ及び５Ｒの先端の構成は、図２７（Ａ）に示すように、基板４の先端縁部において長い歯１１が対向する状態で開口により終端している。
【０１７０】
この櫛歯列の終端の仕方はこれに限らず、図２７（Ｂ）に示すように、蓋板部材９９によって閉塞するようにしても良い。
【０１７１】
この実施の形態の場合の蓋板部材９９は、高さが長い歯１１と同程度であり、かつ幅が対向する長い歯１１の配置長さに相当するように選定されている。
【０１７２】
かくして、蓋板部材９９は互いに対向している長い歯１１間に保持されている塗布液を、先端側に落さないような保持補強機能を果たす。
【０１７３】
また図２７（Ｃ）の実施の形態の場合には、基板４の先端縁部において、互いに相対向する長い歯１１の間に２本の補助歯１１Ｘが配列されている。
【０１７４】
この補助歯１１Ｘは左及び右側櫛歯列５Ｌ及び５Ｒの先端の長い歯１１と同じ長さを有する。
【０１７５】
図２７（Ｃ）の構成によれば、左及び右側櫛歯列５Ｌ及び５Ｒの先端において相対向する２本の長い歯１１間に、ほぼ同様の長さの補助歯１１Ｘが設けられていることにより、先端の長い歯１１によって保持されている塗布液を、その間に配設された補助歯１１Ｘの表面張力によって塗布液を先端側に落さないようにこれを保持できる。
【産業上の利用可能性】
【０１７６】
本発明は塗布対象毛に対して塗布液を塗布する際に用いる櫛型の液塗布具に適用できる。
【符号の説明】
【０１７７】
１……液塗布具、２……液塗布本体部、３……結合部、４……基板、５Ｌ、５Ｒ……左、右側櫛歯列、１１……長い歯、１２……短い歯、１３……櫛歯、１５……塗布液、２１……柄、２３……整髪用液、２４……液タンク、３１……キャップ部材、３３……マスカラ液、３４、３５……中間骨部材、３６……まつ毛、４１……柄、４２……毛染液タンク、４３……毛染用液、４４……分割壁部、４５Ｌ、４５Ｒ……毛染用液保有空所、５１……毛染液タンク、５２……連結管部、５３……毛染液供給通路、５４……供給開口、６１〜６４……機能表示子、７１……中間櫛歯列、７２……分割壁部、８１Ｌ１、８１Ｒ１……第１中間高さの歯、８１Ｌ２、８１Ｒ２……第２中間高さの歯、８５Ａ、８５Ｂ……液保持部材、９１……液供給管路、９１Ａ……通路、９１Ｂ……放出口、９３……液供給管路、９３Ｌ、９３Ｒ……放出口、９４Ｌ、９４Ｒ……中間高さの歯、９５Ｌ、９５Ｒ、９６……液供給口
【国際調査報告】
2012164734.tif 000030
2012164734.tif 000031
2012164734.tif 000032
2012164734.tif 000033
2012164734.tif 000034
2012164734.tif 000035
2012164734.tif 000036